(57)【要約】【課題】写真シール作成装置で作成された撮影画像を提供するサーバにおいて、撮影画像を容易に管理することができ、かつ、顧客の満足度を向上させることができるようにする。【解決手段】顧客は、写真シール作成装置３でテーマを設定して撮影する。サーバ２は、写真シール作成装置３で作成された撮影画像を受信して記憶する。サーバ２は、顧客の携帯型電話機５からの要求に応じて、顧客によって指定されたテーマを有する複数の撮影画像を組み合わせた組み合わせ画像を生成し、携帯型電話機５に送信して、表示させる。本発明は、例えば、写真シール作成装置と通信するサーバに適用できる。【選択図】図１
2011166798.tif 000002
【特許請求の範囲】
【請求項１】
写真シール作成ゲームとして、顧客に、前記顧客を被写体とする撮影作業、および、前記撮影作業により得られた前記顧客の画像に対して編集する編集作業を行わせ、さらに、得られた編集済みの前記顧客の撮影画像をシール紙に印刷し、印刷された前記シール紙を排出し、写真シールとして前記顧客に提供する写真シール作成装置において作成された前記撮影画像を、画像提供サービスとして前記顧客の携帯型電話機に提供する画像提供装置であって、
前記顧客を識別する個人IDを生成するID生成手段と、
前記顧客の個人IDを記憶するID記憶手段と、
生成された前記顧客の個人IDを前記顧客の携帯型電話機に送信し、前記写真シール作成装置において前記顧客により入力された前記顧客の個人IDと前記撮影画像のテーマを、作成された前記撮影画像とともに前記写真シール作成装置から受信する通信手段と、
受信された前記顧客の個人IDに基づいて、受信された前記撮影画像を前記顧客ごとに記憶する画像記憶手段と、
前記顧客によって指定された前記テーマを属性情報として有する複数の前記撮影画像を組み合わせることにより、組み合わせ画像を生成する組み合わせ画像生成手段と
を備え、
前記通信手段は、さらに、生成された前記組み合わせ画像のプレビュー画像が表示された前記顧客の携帯型電話機から、ダウンロードの指示を受信した場合に、生成された前記組み合わせ画像を前記顧客の携帯型電話機に送信する
画像提供装置。
【請求項２】
前記組み合わせ画像生成手段は、前記顧客にアクセス権が設定されている前記撮影画像を用いて仮の前記組み合わせ画像を生成し、
前記通信手段は、前記顧客の携帯型電話機から、前記仮の前記組み合わせ画像を構成する所定の撮影画像を変更する指示を受信し、
前記組み合わせ画像生成手段は、変更する指示がなされた前記撮影画像を、前記顧客にアクセス権が設定されている新たな前記撮影画像と交換した前記組み合わせ画像を生成する
請求項１に記載の画像提供装置。
【請求項３】
前記組み合わせ画像を生成するために必要な前記撮影画像の枚数、特徴、および配置パターンをテーマごとに記憶するテーマ情報記憶手段をさらに備え、
前記組み合わせ画像生成手段は、前記撮影画像の枚数、特徴、および配置パターンに基づいて、組み合わせ画像を生成する
請求項１に記載の画像提供装置。
【請求項４】
写真シール作成ゲームとして、顧客に、前記顧客を被写体とする撮影作業、および、前記撮影作業により得られた前記顧客の画像に対して編集する編集作業を行わせ、さらに、得られた編集済みの前記顧客の撮影画像をシール紙に印刷し、印刷された前記シール紙を排出し、写真シールとして前記顧客に提供する写真シール作成装置において作成された前記撮影画像を、画像提供サービスとして前記顧客の携帯型電話機に提供する画像提供装置の画像提供方法であって、
前記顧客を識別する個人IDを生成し、
前記顧客の個人IDを記憶し、
生成された前記顧客の個人IDを前記顧客の携帯型電話機に送信し、前記写真シール作成装置において前記顧客により入力された前記顧客の個人IDと前記撮影画像のテーマを、作成された前記撮影画像とともに前記写真シール作成装置から受信し、
受信された前記顧客の個人IDに基づいて、受信された前記撮影画像を前記顧客ごとに記憶し、
前記顧客によって指定された前記テーマを属性情報として有する複数の前記撮影画像を組み合わせることにより、組み合わせ画像を生成し、
生成された前記組み合わせ画像のプレビュー画像が表示された前記顧客の携帯型電話機端末から、ダウンロードの指示を受信した場合に、生成された前記組み合わせ画像を前記顧客の携帯型電話機に送信する
ステップを含む画像提供方法。
【請求項５】
写真シール作成ゲームとして、顧客に、前記顧客を被写体とする撮影作業、および、前記撮影作業により得られた前記顧客の画像に対して編集する編集作業を行わせ、さらに、得られた編集済みの前記顧客の撮影画像をシール紙に印刷し、印刷された前記シール紙を排出し、写真シールとして前記顧客に提供する写真シール作成装置において作成された前記撮影画像を、画像提供サービスとして前記顧客の携帯型電話機に提供する処理をコンピュータに行わせるプログラムであって、
前記顧客を識別する個人IDを生成し、
前記顧客の個人IDを記憶し、
生成された前記顧客の個人IDを前記顧客の携帯型電話機に送信し、前記写真シール作成装置において前記顧客により入力された前記顧客の個人IDと前記撮影画像のテーマを、作成された前記撮影画像とともに前記写真シール作成装置から受信し、
受信された前記顧客の個人IDに基づいて、受信された前記撮影画像を前記顧客ごとに記憶し、
前記顧客によって指定された前記テーマを属性情報として有する複数の前記撮影画像を組み合わせることにより、組み合わせ画像を生成し、
生成された前記組み合わせ画像のプレビュー画像が表示された前記顧客の携帯型電話機端末から、ダウンロードの指示を受信した場合に、生成された前記組み合わせ画像を前記顧客の携帯型電話機に送信する
ステップを含むプログラム。
【発明の詳細な説明】
【技術分野】
【０００１】
本発明は、画像提供装置および方法、並びにプログラムに関し、特に、写真シール作成装置で作成された撮影画像を提供するサーバにおいて、撮影画像を容易に管理することができ、かつ、顧客の満足度を向上させることができるようにする画像提供装置および方法、並びにプログラムに関する。
【背景技術】
【０００２】
被写体である顧客（利用者）を撮影し、その結果得られた被写体の画像と、顧客が付属のペン等を用いて書き込んだ（編集した）所定または任意の文字や図形等とを合成した撮影画像をシール紙に印刷し、顧客に提供する写真シール作成装置が知られている。
【０００３】
近年の写真シール作成装置には、撮影画像をインターネットなどのネットワークを介してサーバに転送する機能を有しているものもある（例えば、特許文献１参照）。顧客は、サーバに格納された撮影画像を、自分の携帯型電話機にダウンロードして画面に表示させ、楽しむことができる。
【０００４】
また、顧客の指定するテーマごとにメイン画像と、そのメイン画像をサムネイル化したサムネイル画像をサーバに格納しておき、メイン画像をサーバからダウンロードして携帯型電話機の画面に表示する場合、最初に、サーバに格納されているサムネイル画像を携帯型電話機の画面に一覧表示させ、その中から選択されたサムネイル画像に対応するメイン画像を表示するようにしたものがある（例えば、特許文献２参照）。
【０００５】
写真シール作成装置で作成され、サーバに格納された撮影画像を携帯型電話機に転送して表示させる場合、１枚ごとに撮影画像を表示させるだけでなく、所定のテーマに沿った複数の撮影画像を同時に携帯型電話機の画面に表示させることができれば、顧客の楽しみも増え、顧客の満足度を向上させることができる。
【先行技術文献】
【特許文献】
【０００６】
【特許文献１】特開２００１−３０９１０８号公報
【特許文献２】特開２００３−１７３３０４号公報
【発明の概要】
【発明が解決しようとする課題】
【０００７】
しかしながら、従来、写真シール作成装置で作成された複数の撮影画像を同時に携帯型電話機で見ることができるようにするためには、サーバでの撮影画像の管理が複雑になるという問題があった。
【０００８】
本発明は、このような状況に鑑みてなされたものであり、写真シール作成装置で作成された撮影画像を提供するサーバにおいて、撮影画像を容易に管理することができ、かつ、顧客の満足度を向上させることができるようにするものである。
【課題を解決するための手段】
【０００９】
本発明の一側面は、写真シール作成ゲームとして、顧客に、前記顧客を被写体とする撮影作業、および、前記撮影作業により得られた前記顧客の画像に対して編集する編集作業を行わせ、さらに、得られた編集済みの前記顧客の撮影画像をシール紙に印刷し、印刷された前記シール紙を排出し、写真シールとして前記顧客に提供する写真シール作成装置において作成された前記撮影画像を、画像提供サービスとして前記顧客の携帯型電話機に提供する画像提供装置であって、前記顧客を識別する個人IDを生成するID生成手段と、前記顧客の個人IDを記憶するID記憶手段と、生成された前記顧客の個人IDを前記顧客の携帯型電話機に送信し、前記写真シール作成装置において前記顧客により入力された前記顧客の個人IDと前記撮影画像のテーマを、作成された前記撮影画像とともに前記写真シール作成装置から受信する通信手段と、受信された前記顧客の個人IDに基づいて、受信された前記撮影画像を前記顧客ごとに記憶する画像記憶手段と、前記顧客によって指定された前記テーマを属性情報として有する複数の前記撮影画像を組み合わせることにより、組み合わせ画像を生成する組み合わせ画像生成手段とを備え、前記通信手段は、さらに、生成された前記組み合わせ画像のプレビュー画像が表示された前記顧客の携帯型電話機から、ダウンロードの指示を受信した場合に、生成された前記組み合わせ画像を前記顧客の携帯型電話機に送信する画像提供装置である。
【００１０】
このID生成手段は、例えば、管理部により構成され、ID記憶手段は、例えば、ID記憶部により構成され、通信手段は、例えば、通信部により構成され、画像記憶手段は、例えば、画像記憶部により構成され、組み合わせ画像生成手段は、例えば、画像処理部により構成される。
【００１１】
本発明の画像提供装置においては、写真シール作成装置の顧客を識別する個人IDが生成されて記憶されるとともに、顧客の携帯型電話機に送信され、写真シール作成装置において顧客により入力された顧客の個人IDと撮影画像のテーマが、作成された撮影画像とともに写真シール作成装置から受信される。そして、受信された顧客の個人IDに基づいて、受信された撮影画像が顧客ごとに記憶される。顧客によって指定されたテーマを属性情報として有する複数の撮影画像を組み合わせることにより、組み合わせ画像が生成され、生成された組み合わせ画像のプレビュー画像が表示された顧客の携帯型電話機から、ダウンロードの指示を受信した場合に、顧客の携帯型電話機に送信される。
【００１２】
従って、画像提供装置は、顧客の満足度をより向上させることができ、繰り返し写真シール作成ゲームをプレイする、所謂リピータ率を増加させることができ、収益率の向上を期待することができる。また、顧客に提供する撮影画像を容易に管理することができる。
【００１３】
前記組み合わせ画像生成手段には、前記顧客にアクセス権が設定されている前記撮影画像を用いて仮の前記組み合わせ画像を生成させ、前記通信手段には、前記顧客の携帯型電話機から、前記仮の前記組み合わせ画像を構成する所定の撮影画像を変更する指示を受信させ、前記組み合わせ画像生成手段には、変更する指示がなされた前記撮影画像を、前記顧客にアクセス権が設定されている新たな前記撮影画像と交換した前記組み合わせ画像を生成させることができる。
【００１４】
これにより、自動で組み合わせ画像を生成したり、顧客による撮影画像の自由な選択によって組み合わせ画像を生成したりして、顧客に組み合わせ画像を提供することができるので、顧客の満足度をより大きく向上させることができる。
【００１５】
前記組み合わせ画像を生成するために必要な前記撮影画像の枚数、特徴、および配置パターンをテーマごとに記憶するテーマ情報記憶手段をさらに設け、前記組み合わせ画像生成手段には、前記撮影画像の枚数、特徴、および配置パターンに基づいて、組み合わせ画像を生成させることができる。このテーマ情報記憶手段は、例えば、テーマ情報記憶部により構成される。これにより、組み合わせ画像を容易に生成することができる。
【００１６】
本発明の他の側面は、写真シール作成ゲームとして、顧客に、前記顧客を被写体とする撮影作業、および、前記撮影作業により得られた前記顧客の画像に対して編集する編集作業を行わせ、さらに、得られた編集済みの前記顧客の撮影画像をシール紙に印刷し、印刷された前記シール紙を排出し、写真シールとして前記顧客に提供する写真シール作成装置において作成された前記撮影画像を、画像提供サービスとして前記顧客の携帯型電話機に提供する画像提供装置の画像提供方法であって、前記顧客を識別する個人IDを生成し、前記顧客の個人IDを記憶し、生成された前記顧客の個人IDを前記顧客の携帯型電話機に送信し、前記写真シール作成装置において前記顧客により入力された前記顧客の個人IDと前記撮影画像のテーマを、作成された前記撮影画像とともに前記写真シール作成装置から受信し、受信された前記顧客の個人IDに基づいて、受信された前記撮影画像を前記顧客ごとに記憶し、前記顧客によって指定された前記テーマを属性情報として有する複数の前記撮影画像を組み合わせることにより、組み合わせ画像を生成し、生成された前記組み合わせ画像のプレビュー画像が表示された前記顧客の携帯型電話機端末から、ダウンロードの指示を受信した場合に、生成された前記組み合わせ画像を前記顧客の携帯型電話機に送信するステップを含む画像提供方法である。
【００１７】
本発明のさらに他の側面は、写真シール作成ゲームとして、顧客に、前記顧客を被写体とする撮影作業、および、前記撮影作業により得られた前記顧客の画像に対して編集する編集作業を行わせ、さらに、得られた編集済みの前記顧客の撮影画像をシール紙に印刷し、印刷された前記シール紙を排出し、写真シールとして前記顧客に提供する写真シール作成装置において作成された前記撮影画像を、画像提供サービスとして前記顧客の携帯型電話機に提供する処理をコンピュータに行わせるプログラムであって、前記顧客を識別する個人IDを生成し、前記顧客の個人IDを記憶し、生成された前記顧客の個人IDを前記顧客の携帯型電話機に送信し、前記写真シール作成装置において前記顧客により入力された前記顧客の個人IDと前記撮影画像のテーマを、作成された前記撮影画像とともに前記写真シール作成装置から受信し、受信された前記顧客の個人IDに基づいて、受信された前記撮影画像を前記顧客ごとに記憶し、前記顧客によって指定された前記テーマを属性情報として有する複数の前記撮影画像を組み合わせることにより、組み合わせ画像を生成し、生成された前記組み合わせ画像のプレビュー画像が表示された前記顧客の携帯型電話機端末から、ダウンロードの指示を受信した場合に、生成された前記組み合わせ画像を前記顧客の携帯型電話機に送信するステップを含むプログラムである。
【００１８】
このプログラムは、ネットワークを介して、または、所定の記録媒体から読み出され、画像提供装置にインストールされる。記録媒体は、フロッピ（登録商標）ディスクなどよりなる磁気ディスク、CD-ROM(Compact Disk Read Only Memory)、DVD-ROM(Digital Versatile Disk)などよりなる光ディスク、MD(Mini Disk)（登録商標）などよりなる光磁気ディスク、または半導体メモリなどのリムーバブルメディアにより構成される。
【発明の効果】
【００１９】
本発明によれば、写真シール作成装置で作成された撮影画像を顧客に提供することができる。また、本発明によれば、写真シール作成装置で作成された撮影画像を提供するサーバにおいて、撮影画像を容易に管理することができ、かつ、顧客の満足度を向上させることができる。
【図面の簡単な説明】
【００２０】
【図１】本発明を適用した写真シール提供システムの一実施の形態の構成例を示す図である。
【図２】写真シール提供システムの全体の処理を説明するフローチャートである。
【図３】テーマ『笑顔』の組み合わせ画像の画面例を示す図である。
【図４】テーマ『電車』の組み合わせ画像の画面例を示す図である。
【図５】テーマ『寄書』の組み合わせ画像の画面例を示す図である。
【図６】サーバのハードウエア構成例を示すブロック図である。
【図７】サーバの機能的な構成例を示すブロック図である。
【図８】画像記憶部に記憶されているデータの例を示す図である。
【図９】グループリスト記憶部に記憶されているデータの例を示す図である。
【図１０】属性情報記憶部に記憶されているデータの例を示す図である。
【図１１】ID記憶部に記憶されているデータの例を示す図である。
【図１２】個人情報入力画面の例を示す図である。
【図１３】グループ登録画面の例を示す図である。
【図１４】エラー画面の例を示す図である。
【図１５】確認画面の例を示す図である。
【図１６】ID通知画面の例を示す図である。
【図１７】会員ログイン画面の例を示す図である。
【図１８】作業内容選択画面の例を示す図である。
【図１９】テーマ選択画面の例を示す図である。
【図２０】テーマ選択画面の例を示す図である。
【図２１】画像選択画面の例を示す図である。
【図２２】アクセス権設定画面の例を示す図である。
【図２３】テーマ設定画面の例を示す図である。
【図２４】メールアドレス入力画面の例を示す図である。
【図２５】受信メールの例を示す図である。
【図２６】警告画面の例を示す図である。
【図２７】処分方法選択画面の例を示す図である。
【図２８】個人ID選択画面の例を示す図である。
【図２９】グループID選択画面の例を示す図である。
【図３０】削除確認画面の例を示す図である。
【図３１】利用者登録処理の例を説明するフローチャートである。
【図３２】領域作成処理の例を説明するフローチャートである。
【図３３】利用者登録処理の例を説明するフローチャートである。
【図３４】撮影処理の例を説明するフローチャートである。
【図３５】画像格納処理の例を説明するフローチャートである。
【図３６】格納画像表示処理の例を説明するフローチャートである。
【図３７】組み合わせ画像表示処理の例を説明するフローチャートである。
【図３８】調整方法選択画面の例を示す図である。
【図３９】撮影画像の選択するときの画面例を示す図である。
【図４０】撮影画像の選択するときの画面例を示す図である。
【図４１】撮影画像の選択するときの画面例を示す図である。
【図４２】プレビュー画面の例を示す図である。
【図４３】アクセス権・テーマ設定処理の例を説明するフローチャートである。
【図４４】アクセス権削除処理の例を説明するフローチャートである。
【発明を実施するための形態】
【００２１】
以下、本発明を適用した具体的な実施の形態について、図面を参照しながら詳細に説明する。
【００２２】
図１は、本発明を適用した写真シール提供システムの一実施の形態の構成例を示している。
【００２３】
図１に示される写真シール提供システム１は、撮影や編集等の作業の娯楽性を高め、それらの作業を顧客（利用者）にゲーム（遊戯サービス）として行わせ、その撮影・編集した撮影画像を、写真シールやデータとして顧客に提供する代わりに、顧客より代金を受け取る遊戯用システムであり、画像提供装置として動作し、顧客が作成した撮影画像を顧客に画像データとして提供するサーバ２、顧客が撮影や編集等を行う写真シール作成装置３Ａおよび写真シール作成装置３Ｂ、写真シール作成装置３Ａとサーバ２が接続されるネットワーク４Ａ、並びに、写真シール作成装置３Ｂとサーバ２が接続されるネットワーク４Ｂを有している。
【００２４】
サーバ２は、写真シール作成装置３Ａまたは３Ｂで作成され、転送されてきた撮影画像を保存し、顧客の携帯型電話機５Ａまたは携帯型電話機５Ｂからの要求に応じて、保存しておいた撮影画像を加工等して携帯型電話機５Ａまたは携帯型電話機５Ｂに送信し、画面に表示させるサービス（以下、画像提供サービスと称する）を、会員として利用登録された顧客に対して提供する。
【００２５】
即ち、サーバ２は、写真シール作成装置３Ａまたは写真シール作成装置３Ｂにより作成（撮影および編集）され、その写真シール作成装置３Ａまたは写真シール作成装置３Ｂからネットワーク４Ａまたはネットワーク４Ｂを介して供給される撮影画像（のデータ）を取得し保存する。そして、撮影画像の作成作業（撮影や編集）を行った顧客が、自分自身の携帯型電話機５Ａまたは携帯型電話機５Ｂを用いて、ネットワーク４Ａまたはネットワーク４Ｂを介してサーバ２にアクセスし、サーバ２に保存されている撮影画像の表示を要求する。サーバ２は、要求された撮影画像を読み出して加工し、その加工後の画像を、要求元の携帯型電話機５Ａまたは携帯型電話機５Ｂに、ネットワーク４Ａまたはネットワーク４Ｂを介して提供（送信）する。なお、加工後の画像は、要求元の携帯型電話機５Ａまたは携帯型電話機５Ｂの表示部（表示領域）のサイズに適宜調整される。
【００２６】
写真シール作成装置３Ａおよび写真シール作成装置３Ｂは、互いに同様の装置であり、写真シールを作成する写真シール作成ゲームを顧客にプレイさせ、成果物として写真シール（シール紙）を提供する。つまり、この写真シール作成装置３Ａおよび写真シール作成装置３Ｂは、ゲーム装置（遊戯サービス提供装置）であり、通常、ゲームセンタや観光地等の店舗等に設置される。顧客は、その写真シール作成ゲームにおいて、硬貨投入後に筐体内に設置されたCCD（Charge Coupled Device）カメラで顧客自身を撮影し、記録された顧客の画像に対して付属のペン等を用いて所定または任意の文字や図形等を書き込み（編集を行い）、個性的な画像を作成してシール紙に印刷させる。このように作成され顧客に提供されたシール紙は、例えば、顧客によって、顧客の友人や知人と交換したり、手帳に貼り付けてアルバムのようにしたり、ポストカードに貼り付けたりされる。
【００２７】
なお、写真シール作成装置３Ａおよび写真シール作成装置３Ｂは、顧客が撮影作業を行う撮影空間と、撮影作業を行った顧客が撮影された画像を編集する編集空間とを設けている。その撮影空間内には、CCDカメラで撮影されたライブビュー画像（取り込み動画像）を表示させる液晶パネル（以下、撮影用液晶パネルと称する）が備え付けられており、編集空間には、ライブビュー画像から顧客により決定され、抽出された画像（静止画像）を表示し、顧客に編集させる液晶パネル（以下、編集用液晶パネルと称する）が備え付けられている。
【００２８】
また、写真シール作成装置３Ａおよび写真シール作成装置３Ｂは、ネットワーク４Ａまたはネットワーク４Ｂに接続されている他の装置（例えば、サーバ２）と通信を行う通信部を有しており、作成された撮影画像をネットワーク４Ａまたはネットワーク４Ｂを介してサーバ２に送信（アップロード）する。以下において、写真シール作成装置３Ａおよび写真シール作成装置３Ｂを互いに区別して説明する必要の無い場合、写真シール作成装置３と称する。
【００２９】
ネットワーク４Ａおよびネットワーク４Ｂは、例えば、インターネット、LAN(Local Area Network)、WAN(Wide Area Network)、または公衆回線網等に代表される、有線または無線からなる、１つまたは複数のネットワークにより構成される。なお、以下において、ネットワーク４Ａおよびネットワーク４Ｂを互いに区別して説明する必要の無い場合、ネットワーク４と称する。
【００３０】
携帯型電話機５Ａは、写真シール作成装置３において写真シール作成ゲームを行った顧客甲の所有する携帯型の電話機であり、携帯型電話機５Ｂは、写真シール作成装置３において写真シール作成ゲームを行った顧客乙の所有する携帯型の電話機である。携帯型電話機５Ａおよび携帯型電話機５Ｂは、それぞれ、図示せぬ基地局と無線通信を行うことにより、他の電話機と通話通信を行ったり、他の画像提供装置（例えばサーバ２）とパケット通信（通信データの授受）を行ったりすることができる。なお、図１において、携帯型電話機５Ａが、ネットワーク４Ａに接続されているように示されているが、これは、携帯型電話機５Ａが、ネットワーク４Ａに接続される基地局との無線通信を確立し、ネットワーク４Ａに接続されている状態（ネットワーク４Ａを介して通信を行うことができる状態）にあることを示している。携帯型電話機５Ｂについても同様である（ネットワーク４Ｂを介して通信を行うことができる状態が示されている）。また、以下において、携帯型電話機５Ａおよび携帯型電話機５Ｂを互いに区別して説明する必要の無い場合、携帯型電話機５と称する。
【００３１】
図１に示されるように、サーバ２は、複数の写真シール作成装置３に対応することができ、複数の写真シール作成装置３より供給される撮影画像を取得し、保存することができる。なお、写真シール作成装置３の台数に制限は無く、何台であってもよい。また、ネットワーク４の数も制限は無く、サーバ２が接続されるネットワーク４の数は、１つであっても複数であってもよい。つまり、例えば、サーバ２が、１つのネットワーク４を介して、複数の写真シール作成装置３に接続されるようにしてもよい。
【００３２】
また、携帯型電話機５についても同様であり、設備の都合を考慮しなければ、ネットワーク４に対して携帯型電話機５が何台接続されるようにしてもよい。
【００３３】
次に、図２を参照して、写真シール提供システム１で行われる全体の処理の流れについて説明する。
【００３４】
図２は、写真シール作成装置３で撮影された撮影画像をサーバ２を介して携帯型電話機５に提供する、写真シール提供システム１の画像提供処理のフローチャートである。
【００３５】
顧客は、写真シール作成装置３で写真シール作成ゲームのプレイをする前に、携帯型電話機５を用いてサーバ２の写真シールサイトにアクセスし、画像提供サービスの利用者登録を行う。
【００３６】
これに対応して、サーバ２は、ステップＳ１において、自身が実行している写真シールサイトにアクセスしてきた顧客の利用者登録を行う利用者登録処理を実行する。この利用者登録処理では、利用者登録を希望した顧客に対して、住所、氏名、電話番号、メールアドレスなどの個人情報を入力させるとともに、個人IDとパスワードを付与する。また、サーバ２は、自身の記憶領域内に、利用登録された顧客の個人領域を作成する。
【００３７】
ステップＳ１の利用者登録処理は、サーバ２と携帯型電話機５との間で実行される処理である。なお、利用者登録処理の詳細は、図３１のフローチャートを参照して後述する。
【００３８】
次に、顧客は、ゲームセンタ等に設置されている写真シール作成装置３で写真シール作成ゲームのプレイを開始する。ステップＳ２において、写真シール作成装置３は、被写体としての顧客を撮影する撮影処理を実行する。撮影処理において、写真シール作成装置３は、最初に、個人ID、パスワード、および撮影のテーマ（後述）を顧客に入力させる。そして、写真シール作成装置３は、「右（または左）を向いて手を前に出してください」等を音声で出力することにより、撮影のテーマに対応するポーズ（姿勢）を顧客に指定する。撮影処理の詳細は、図３４のフローチャートを参照して後述する。
【００３９】
顧客は、写真シール作成装置３において、撮影決定された画像が表示されている編集用液晶パネル上で、所定または任意の文字や図形等を（撮影決定された画像に）付属のペン等を用いて書き込む編集作業を行う。写真シール作成装置３は、ステップＳ３において、顧客の編集作業に対応する編集処理を実行する。写真シール作成装置３は、編集処理として、撮影決定された画像と、書き込まれた文字や図形等の画像とを合成して、撮影画像を生成する。
【００４０】
ステップＳ４において、写真シール作成装置３は、撮影および編集された後の撮影画像をシール紙に印刷する印刷処理を実行する。そして、印刷されたシール紙は、写真シールとして写真シール作成装置３の排出口から排出される。
【００４１】
ステップＳ５において、写真シール作成装置３は、ステップＳ２で入力された顧客の個人ID、パスワード、撮影のテーマ、および撮影画像（のデータ）をサーバ２に送信する。
【００４２】
ステップＳ６において、サーバ２は、個人IDおよびパスワードに基づいて顧客を認証し、サーバ２に作成された顧客の個人領域に、写真シール作成装置３から送信されてきた撮影画像を格納する画像格納処理を実行する。この画像格納処理の詳細は、図３５のフローチャートを参照して後述する。
【００４３】
上述したステップＳ２乃至Ｓ６の処理は、サーバ２と写真シール作成装置３との間で実行される処理である。
【００４４】
顧客は、携帯型電話機５でサーバ２の写真シールサイトにアクセスし、自分に付与された個人IDとパスワードでログインする。そして、顧客は、サーバ２に格納されている撮影画像を携帯型電話機５に表示させる操作を行う。サーバ２は、この操作に対応して、ステップＳ７において、格納画像表示処理を実行する。
【００４５】
格納画像表示処理の詳細は、図３６のフローチャートを参照して後述するが、例えば、サーバ２は、格納画像表示処理として、顧客の携帯型電話機５からの要求に応じて、顧客が利用可能な複数の撮影画像を所定のテーマに沿って組み合わせた組み合わせ画像を生成し、携帯型電話機５に送信（ダウンロード）して表示させる。
【００４６】
図３乃至図５は、所定のテーマに沿って複数の撮影画像を組み合わせることにより生成された組み合わせ画像の例を示している。なお図３乃至図５において対応する部分については同一の符号を付してあり、その説明は適宜省略する（他の図も同様）。
【００４７】
図３では、テーマ『笑顔』に対応する組み合わせ画像２１が、携帯型電話機５のディスプレイ１１に表示されている。
【００４８】
サーバ２は、撮影画像P101乃至P103を横方向に連結して構成される組み合わせ画像２１を生成し、その画像データをネットワーク４を介して携帯型電話機５に送信することにより、組み合わせ画像２１をディスプレイ１１に表示させる。
【００４９】
撮影画像P101乃至P103は、いずれもテーマを『笑顔』に設定して写真シール作成装置３で撮影され、サーバ２に保存された撮影画像である。組み合わせ画像２１では、撮影画像P101乃至P103が、図３の太線の矢印に示されるように、図中右から左に同期して移動する。顧客は、複数の笑顔でつながれた組み合わせ画像２１を見て楽しむことができる。
【００５０】
図４では、テーマ『電車』に対応する組み合わせ画像２２が携帯型電話機５のディスプレイ１１に表示されている。
【００５１】
サーバ２は、撮影画像P111およびP112が横方向に連結して構成される組み合わせ画像２２を生成し、その画像データをネットワーク４を介して携帯型電話機５に送信することにより、組み合わせ画像２２をディスプレイ１１に表示させる。
【００５２】
撮影画像P111およびP112は、いずれもテーマを『電車』に設定して写真シール作成装置３で撮影され、サーバ２に保存された撮影画像である。撮影画像P111およびP112の撮影時には、顧客は、写真シール作成装置３から「右（または左）を向いて手を前に出してください」と指示され、その指定されたポーズで撮影されている。
【００５３】
ディスプレイ１１では、同一方向（図中左方向）を向いている撮影画像P111およびP112が、横方向に連結され、図４の太線の矢印に示されるように、図中右から左に同期して移動する。組み合わせ画像２２を見た顧客は、横向きで手を前に出している顧客（友達）が進行方向（図中左方向）に移動することによって“電車ごっこ”をしているように見える。
【００５４】
図５では、テーマ『寄書』に対応する組み合わせ画像２３が、携帯型電話機５のディスプレイ１１に表示されている。
【００５５】
サーバ２は、撮影画像P121乃至P128を、メッセージを表示した画像Ｐ129と組み合わせて組み合わせ画像２３を生成し、その画像データをネットワーク４を介して携帯型電話機５に送信することにより、組み合わせ画像２３をディスプレイ１１に表示させる。
【００５６】
組み合わせ画像には、顧客自身が写真シール作成装置３で作成(撮影)した撮影画像のほかに、他の顧客が作成した撮影画像であって、他の顧客からアクセス権が与えられた撮影画像も利用することができる。従って、７人の友達（他の顧客）の撮影画像のアクセス権をもらって、自分も含めて８人の顔を撮影した撮影画像P121乃至P128を構成することにより、寄書をイメージした組み合わせ画像２３を生成することができる。
【００５７】
撮影画像P121乃至P128は、８人の顧客それぞれによってテーマを『寄書』に設定して写真シール作成装置３で撮影され、サーバ２に保存された撮影画像である。撮影画像P121乃至P128の撮影時には、顧客は、CCDカメラに対して、右向き、左向き、下向き、上向きなど様々な方向に向くように指示され、撮影されている。
【００５８】
テーマ『寄書』の組み合わせ画像２３では、図５に示されるように、寄書を書く色紙をイメージして、中心にある、組み合わせ画像２３を見る顧客「○○さん」の宛名画像Ｐ129を向くように撮影画像P121乃至P128が配置されている。ここで、撮影画像P127は、撮影画像を撮影したときと１８０度回転させた向きで合成されている。
【００５９】
以上、図３乃至図５に示したように、サーバ２は、格納画像表示処理として、写真シール作成装置３で所定のテーマに沿って撮影された複数の撮影画像を組み合わせた組み合わせ画像２１乃至２３を携帯型電話機５に表示させて、顧客を楽しませることができる。これにより顧客の満足度が向上する。
【００６０】
なお、格納画像表示処理では、サーバ２の顧客専用の個人領域に格納されている撮影画像を削除したり、他の顧客に撮影画像のアクセス権を設定（付与または削除）することもできる。この格納画像表示処理は、サーバ２と携帯型電話機５との間で実行される処理である。
【００６１】
このように、写真シール提供システム１は、写真シール作成装置３において、単純に、作成した写真シールを提供する以外に、写真シール作成装置３で作成された撮影画像を、顧客の携帯型電話機５にサーバ２から提供することにより、顧客の満足度をより向上させることができ、繰り返し写真シール作成ゲームをプレイする、所謂リピータ率を増加させることができ、収益率の向上を期待することができる。
【００６２】
なお、上述したように、ステップＳ１の利用者登録処理は、サーバ２と携帯型電話機５との間で、ステップＳ２乃至Ｓ６の処理は、サーバ２と写真シール作成装置３との間で、ステップＳ７の格納画像表示処理は、サーバ２と携帯型電話機５との間で、それぞれ独立に行われる処理である。従って、ステップＳ１の処理後は、ステップＳ７の処理前または処理後にステップＳ２乃至Ｓ６の処理を何度も繰り返し実行することもできるし、ステップＳ２乃至Ｓ６の処理回数とは関係なく、ステップＳ７の処理を何度も繰り返し実行することもできる。
【００６３】
図６は、サーバ２のハードウエア構成を示すブロック図である。
【００６４】
CPU（Central Processing Unit）７１は、ROM（Read Only Memory）７２、または記憶部７８に記憶されているプログラムに従って各種の処理を実行する。RAM（Random Access Memory）７３には、CPU７１が実行するプログラムやデータなどが適宜記憶される。これらのCPU７１、ROM７２、およびRAM７３は、バス７４により相互に接続されている。
【００６５】
CPU７１にはまた、バス７４を介して入出力インタフェース７５が接続されている。入出力インタフェース７５には、キーボード、マウス、マイクロホンなどよりなる入力部７６、CRT(Cathode Ray Tube)、LCD(Liquid Crystal display)などよりなるディスプレイ、スピーカなどよりなる出力部７７が接続されている。CPU７１は、入力部７６から入力される指令、または通信部７９を介して送信されてくる指令に対応して各種の処理を実行する。そして、CPU７１は、処理の結果を、出力部７７に出力、または、通信部７９を介して写真シール作成装置３、或いは、携帯型電話機５等に送信する。
【００６６】
入出力インタフェース７５に接続されている記憶部７８は、例えばハードディスクからなり、CPU７１が実行するプログラムや各種のデータを記憶する。通信部７９は、ネットワーク４を介して、または直接に接続された外部の装置と通信する。
【００６７】
入出力インタフェース７５に接続されているドライブ８０は、磁気ディスク、光ディスク、光磁気ディスク、或いは半導体メモリなどのリムーバブルメディア８１が装着されたとき、それらを駆動し、そこに記録されているプログラムやデータなどを取得する。取得されたプログラムやデータは、必要に応じて記憶部７８に転送され、記憶される。また、プログラムやデータは、通信部７９を介して取得され、記憶部７８に記憶されてもよい。
【００６８】
図７は、サーバ２によって実現される機能的な構成を表すブロックである。
【００６９】
なお、以下において、写真シール作成装置３を利用する顧客として、上述した甲および乙のほかに、丙、丁、A、B、C、D、E、α、およびβが、サーバ２に画像提供サービスの会員として登録されているものとする。
【００７０】
サーバ２は、通信部１０１、管理部１０２、認証部１０３、登録部１０４、画像振分部１０５、アクセス権設定部１０６、画像処理部１０７、入力部１０８、表示部１０９、画像記憶部１１０、グループリスト記憶部１１１、属性情報記憶部１１２、ID記憶部１１３、テーマ情報記憶部１１４、プログラム記憶部１１５、および制御部１１６により構成される。なお、画像記憶部１１０、グループリスト記憶部１１１、属性情報記憶部１１２、ID記憶部１１３、テーマ情報記憶部１１４、およびプログラム記憶部１１５は、それぞれ独立の記憶部で構成しても良いし、１つの記憶部内でアドレス空間を分離して構成しても良い。
【００７１】
通信部１０１は、写真シール作成装置３および携帯型電話機５とネットワーク４を介して通信する。例えば、通信部１０１は、写真シール作成装置３で撮影された撮影画像の画像データや、顧客の個人情報などのデータを、写真シール作成装置３または携帯型電話機５から受信したり、組み合わせ画像の画像データなどを携帯型電話機５に送信する。
【００７２】
管理部１０２は、利用者登録された顧客に対して、顧客を識別する個人ID(Identification)とパスワードを生成する。例えば、管理部１０２は、顧客甲の個人IDおよびパスワードとして個人ID甲およびPASS甲を生成する。また、管理部１０２は、複数の顧客によって構成されるグループを識別するグループIDも生成する。さらに、管理部１０２は、写真シール作成装置３からネットワーク４を介して送信されてきた撮影画像に対しても、それを識別する画像IDを生成する。
【００７３】
認証部１０３は、管理部１０２で生成され、顧客に付与された個人IDとパスワードに基づいて、顧客を認証する。例えば、認証部１０３は、携帯型電話機５からサーバ２（の写真シールサイト）にアクセスしてきた顧客甲を、個人ID「個人ID甲」とパスワード「PASS甲」に基づいて認証する。
【００７４】
登録部１０４は、画像提供サービスの利用者登録処理を行う。即ち、登録部１０４は、携帯型電話機５により画像提供サービスを利用するため登録を申請した顧客に対して、管理部１０２に個人IDとパスワードの生成（発行）を依頼し、管理部１０２から供給された個人IDとパスワードをID記憶部１１３に登録する。また、登録部１０４は、利用者登録された顧客が写真シール作成装置３で作成した撮影画像を保存する領域（顧客の個人領域）を、画像記憶部１１０の領域内に作成する。
【００７５】
なお、利用者登録処理には、顧客自らがサーバ２の写真シールサイトにアクセスして画像提供サービスの利用者登録を行う場合と、友達（既に画像提供サービスを利用している顧客）の紹介によって利用者登録を行う場合とがある。友達の紹介によって利用者登録を行う場合、登録部１０４は、紹介者が入力した友達のメールアドレスに勧誘メールを送信し、それに応じて写真シールサイトにアクセスしてきた友達に対して利用者登録を行う。
【００７６】
画像振分部１０５は、画像記憶部１１０において顧客ごとに撮影画像が記憶されるように、通信部１０１により受信された撮影画像を振り分けて、画像記憶部１１０に記憶させる。
【００７７】
アクセス権設定部１０６は、顧客の指示に基づいて、画像記憶部１１０に記憶されている撮影画像のアクセス権を設定する。例えば、アクセス権設定部１０６は、顧客甲の指示に基づいて、写真シール作成装置３で作成された顧客甲の撮影画像を、顧客甲以外の例えば顧客Bが使用できるようにアクセス権を変更する。
【００７８】
なお、自分が作成した撮影画像ではなくても、自分にアクセス権が与えられている撮影画像であれば、他の顧客（友達）にアクセス権を設定することができる。例えば、顧客甲が作成した撮影画像のアクセス権が顧客Bに与えられている場合、顧客Bは、その顧客甲が作成した撮影画像のアクセス権を、顧客Cに与えることができる。
【００７９】
また、アクセス権設定部１０６は、携帯型電話機５からの顧客の指示に基づいて、画像記憶部１１０に記憶されている撮影画像を削除することもできる。この撮影画像の削除は、作成した本人だけが可能である。
【００８０】
画像処理部１０７は、画像記憶部１１０に記憶されている複数枚の撮影画像を用いて、図３乃至図５で示したような組み合わせ画像を生成する。
【００８１】
入力部１０８は、サーバ２の操作者（画像提供サービスのシステム設計者など）によって入力されたプログラムやデータを受け付け、入力されたプログラムやデータを所定のブロックに供給する。例えば、操作者は、入力部１０８において、撮影画像に設定するテーマ、組み合わせ画像を構成するのに必要な撮影画像の枚数、組み合わせ画像を構成する撮影画像が有するべき特徴、および、組み合わせ画像を構成する場合の撮影画像の配置パターンなどを入力する。入力部１０８は、入力されたそれらのデータを、テーマ情報記憶部１１４に供給する。
【００８２】
表示部１０９は、入力部１０８で入力されたデータなどを必要に応じてディスプレイに表示する。
【００８３】
画像記憶部１１０は、画像振分部１０５から供給された撮影画像を記憶する。画像記憶部１１０では、利用者登録された顧客ごとに領域（個人領域）が作成されており、例えば、顧客甲が撮影した撮影画像は、顧客甲の個人領域に記憶される。画像記憶部１１０に記憶されているデータの例については、図８を参照して後述する。
【００８４】
グループリスト記憶部１１１は、グループを構成する顧客の個人IDをグループごとに記憶する。グループリスト記憶部１１１に登録されているグループには、管理部１０２で生成されたグループIDが割り当てられている。グループリスト記憶部１１１に記憶されているデータの例については、図９を参照して後述する。
【００８５】
属性情報記憶部１１２は、撮影画像の属性情報を記憶する。ここで、属性情報としては、サーバ２で受信後、管理部１０２によって付与された撮影画像の画像IDと、写真シール作成装置３で撮影されたときに顧客により設定された撮影画像のテーマとを少なくとも有している。属性情報記憶部１１２に記憶されているデータの例については、図１０を参照して後述する。
【００８６】
ID記憶部１１３は、利用者登録時に顧客から提供された個人情報を、顧客の個人IDおよびパスワードとともに記憶する。ここで、個人情報は、上述したように、顧客の名前、住所、電話番号、メールアドレス等である。ID記憶部１１３に記憶されているデータの例については、図１１を参照して後述する。
【００８７】
テーマ情報記憶部１１４は、撮影画像に設定するテーマ、組み合わせ画像を構成するのに必要な撮影画像の枚数、組み合わせ画像を構成する撮影画像が有するべき特徴、および、組み合わせ画像を構成する場合の撮影画像の配置パターンを記憶する。なお、組み合わせ画像を構成するのに必要な撮影画像の枚数、組み合わせ画像を構成する撮影画像が有するべき特徴、および、組み合わせ画像を構成する場合の撮影画像の配置パターンは、テーマごとに記憶されている。
【００８８】
例えば、図３乃至図５を参照して上述した『笑顔』、『電車』、および『寄書』以外の撮影画像のテーマとしては、椅子に座って、その上で自由なポーズをとって撮影した複数枚の撮影画像を横方向に連結して、長椅子に座っているように表示させる組み合わせ画像を生成するための『長椅子』、右または左向きの複数枚の撮影画像を横方向に連結して、フォークダンスを踊っているように表示させる組み合わせ画像を生成するための『フォークダンス』、手を挙げたときの手の高さを何段階か異なる高さにして撮影した複数枚の撮影画像を横方向に連結して、ウェーブ（人による波を模したもの）となるように表示させる組み合わせ画像を生成するための『WAVE』などがある。
【００８９】
なお、作成した顧客以外の他の顧客によって設定される、撮影画像のテーマとは別のテーマ（後述する個別テーマ）と区別するために、撮影画像のテーマを撮影テーマと称する。また、以下において、単にテーマという場合には、撮影テーマおよび個別テーマのどちらでもよいことを表すものとする。
【００９０】
プログラム記憶部１１５は、サーバ２として動作するために必要なOS（Operation System）などの基本プログラム、および、画像提供サービス（写真シールサイト）を実行するプログラムなどを記憶する。制御部１１６は、サーバ２内の各部を制御し、データを中継する。
【００９１】
図８は、画像記憶部１１０に記憶されているデータの例を示している。
【００９２】
画像記憶部１１０においては、利用者登録された顧客ごとに個人領域が作成され、そこに、利用者登録された顧客によって作成（撮影）された撮影画像が記憶されている。図８では、顧客甲と顧客Ａの個人領域が示されている。
【００９３】
即ち、画像記憶部１１０には、顧客甲の個人領域Ｄ１が作成されており、そこに撮影画像Ｐ1、撮影画像Ｐ2、および撮影画像Ｐ3が記憶されている。なお、この撮影画像Ｐ1、撮影画像Ｐ2、および撮影画像Ｐ3には、画像ID1、画像ID2、および画像ID3がそれぞれ付与されている。
【００９４】
また、画像記憶部１１０には、顧客Ａの個人領域Ｄ２が作成されており、そこに撮影画像Ｐ4、撮影画像Ｐ5、および撮影画像Ｐ6が記憶されている。なお、この撮影画像Ｐ4、撮影画像Ｐ5、および撮影画像Ｐ6には、画像ID4、画像ID5、および画像ID6がそれぞれ付与されている。
【００９５】
図９は、グループリスト記憶部１１１に記憶されているデータの例を示している。
【００９６】
グループリスト記憶部１１１には、顧客によって登録されたグループのグループIDと、そのグループのメンバである各顧客の個人IDが、グループごとに記憶される。
【００９７】
図９のグループリスト記憶部１１１では、１番目に登録されたグループとして、グループ１のグループIDであるグループID1と、そのメンバである顧客甲、乙、丙、および丁の個人IDである個人ID甲、個人ID乙、個人ID丙、および個人ID丁が記憶されている。
【００９８】
また、２番目に登録されたグループとして、グループ２のグループIDであるグループID2と、そのメンバである顧客Ａ、Ｂ、Ｃ、Ｄ、およびＥの個人IDである個人IDA、個人IDB、個人IDC、個人IDD、および個人IDEがグループリスト記憶部１１１に記憶されている。
【００９９】
さらに、３番目に登録されたグループとして、グループ３のグループIDであるグループID3と、そのメンバである顧客αおよびβの個人IDである個人IDαおよび個人IDβがグループリスト記憶部１１１に記憶されている。
【０１００】
図１０は、属性情報記憶部１１２に記憶されているデータの例を示している。
【０１０１】
図１０の属性情報記憶部１１２では、顧客甲によって撮影され、画像記憶部１１０の個人領域Ｄ１（図８）に記憶されている撮影画像Ｐ1についての属性情報と、顧客Ａによって撮影され、画像記憶部１１０の個人領域Ｄ２（図８）に記憶されている撮影画像Ｐ4についての属性情報の例が示されている。
【０１０２】
撮影画像Ｐ1の属性情報として、撮影画像Ｐ1の画像ID1と、顧客甲が撮影画像Ｐ1を作成したときに写真シール作成装置３で設定した撮影テーマ『笑顔』が、属性情報記憶部１１２に記憶されている。
【０１０３】
撮影画像Ｐ1は顧客甲によって撮影されたので、顧客甲は、画像記憶部１１０の撮影画像Ｐ1に対してアクセス権を当然ながら有している。
【０１０４】
また、撮影画像Ｐ1の属性情報に、顧客Bの個人IDB、顧客Cの個人IDC、顧客Dの個人IDD、グループ１のグループID1が記憶されており、撮影画像Ｐ1にアクセスする権利（撮影画像Ｐ1を使用することができるアクセス権）が、顧客Ｂ、顧客Ｃ、顧客Ｄ、およびグループ１に与えられていることを表している。
【０１０５】
アクセス権が与えられた顧客またはグループは、図４３を参照して後述するように、撮影テーマとは別に自分（またはグループ）で個別テーマを設定することが可能である。撮影画像Ｐ1の属性情報には、個人IDBに対して個別テーマ『笑顔』、個人IDCに対して個別テーマ『寄書』、個人IDDに対して個別テーマ『笑顔』、およびグループID1に対して個別テーマ『笑顔』がそれぞれ登録されており、個人IDBが撮影画像Ｐ1に対して個別テーマ『笑顔』を設定し、個人IDCが撮影画像Ｐ1に対して個別テーマ『寄書』を設定し、個人IDDが撮影画像Ｐ1に対して個別テーマ『笑顔』を設定し、グループID1が撮影画像Ｐ1に対して個別テーマ『笑顔』を設定したことを表している。
【０１０６】
従って、図１０に示される撮影画像Ｐ1の属性情報によれば、撮影画像Ｐ1に対してアクセス権がある者は、撮影画像Ｐ1を撮影した顧客甲と、顧客Ｂ、顧客Ｃ、顧客Ｄ、並びにグループ１のメンバ（即ち、顧客甲、顧客乙、顧客丙、および顧客丁）とになる。
【０１０７】
同様に、撮影画像Ｐ4の属性情報として、属性情報記憶部１１２には、撮影画像Ｐ4の画像ID4と、顧客Ａが撮影画像Ｐ4を作成したときに写真シール作成装置３で設定した撮影テーマ『笑顔』、顧客甲の個人ID甲と顧客甲が設定した個別テーマ『笑顔』、顧客乙の個人ID乙と顧客乙が設定した個別テーマ『電車』、顧客丁の個人ID丁と顧客丁が設定した個別テーマ『寄書』、およびグループ１のグループID1とグループ１が設定した個別テーマ『寄書』が記憶されている。従って、撮影画像Ｐ4には、顧客Ａ、顧客甲、顧客乙、顧客丁、およびグループ３のメンバ（即ち、顧客αおよび顧客β）がアクセス権を有している。
【０１０８】
なお、グループ１のテーマは、グループ１に所属するどのメンバが設定することができるようにしてもよいし、グループ１の代表となるメンバが設定することができるようにしてもよい。
【０１０９】
図１１は、ID記憶部１１３に記憶されているデータの例を示している。
【０１１０】
ID記憶部１１３は、顧客の個人情報と、その顧客に付与した個人IDとパスワードを、例えば登録順に顧客番号（インデックス）を付して記憶する。
【０１１１】
図１１では、ID記憶部１１３に登録された顧客番号の１番（No.1）乃至６番（No.6）までが示されている。顧客番号１には、顧客甲の個人ID、パスワード、メールアドレス、名前、電話番号および住所が登録され、顧客番号２には、顧客乙の個人ID、パスワード、メールアドレス、名前、電話番号および住所が登録され、顧客番号３には、顧客丙の個人ID、パスワード、メールアドレス、名前、電話番号および住所が登録されている。また、顧客番号４には、顧客Aの個人ID、パスワード、メールアドレス、名前、電話番号および住所が登録され、顧客番号５には、顧客Bの個人ID、パスワード、メールアドレス、名前、電話番号および住所が登録され、顧客番号６には、顧客Cの個人ID、パスワード、メールアドレス、名前、電話番号および住所が登録されている。なお、図１０では、各顧客の名前と電話番号の図示が省略されている。
【０１１２】
次に、図１２乃至図３０を参照して、サーバ２により実行される、利用者登録処理（図２のステップＳ１の処理）および格納画像表示処理（図２のステップＳ７の処理）について詳しく説明する。図１２乃至図３０は、サーバ２から送信される画像データを受信することにより、携帯型電話機５のディスプレイ１１に表示される画面例である。
【０１１３】
図１２乃至図１６は、サーバ２が利用者登録処理を実行した時にディスプレイ１１に表示される画面例を示している。
【０１１４】
顧客は、携帯型電話機５を用いてサーバ２の写真シールサイトにアクセスし、画像提供サービスの利用者登録を行う。サーバ２は、携帯型電話機５のディスプレイ１１に、図１２に示される個人情報入力画面を表示させる。顧客は、図１２に示されるフォーマットにしたがい、自分の名前、住所、電話番号（TEL番号）、およびメールアドレスを入力する。入力された顧客の個人情報がネットワーク４を介してサーバ２に転送されると、サーバ２は、顧客にグループ登録を行わせる図１３のグループ登録画面をディスプレイ１１に表示させる。
【０１１５】
グループ登録画面では、図１３に示されるように、「新たなグループを作成する」か、「既存のグループにメンバ登録する」か、または、「グループ登録しない」のいずれかが選択可能となっている。顧客は、新たなグループを作成する場合には「新たなグループを作成する」を、既存のグループにメンバ登録する場合には所属するグループのグループIDを入力ボックスに入力して「既存のグループにメンバ登録する」を、グループ登録しない場合には「グループ登録しない」を選択する。
【０１１６】
なお、「既存のグループにメンバ登録する」が選択されたが、入力ボックスに入力されたグループIDがグループリスト記憶部１１１に登録されていなかった場合には、サーバ２は、「登録グループが見つかりません。」のメッセージが記入された図１４のエラー画面をディスプレイ１１に表示させる。
【０１１７】
グループの登録に問題が発生しなかった場合、サーバ２は、入力された個人情報を再度確認する図１５の確認画面をディスプレイ１１に表示させる。
【０１１８】
確認画面では、図１５に示されるように、顧客に入力された個人情報を確認させる「以下の登録で間違いないかご確認ください」のメッセージとともに、図１２の個人情報入力画面で入力された名前、住所、電話番号（TEL番号）、およびメールアドレスが表示される。顧客は、表示された個人情報に間違いがない場合には、「OK」ボタンを選択し、表示された個人情報に間違いがある場合には、「キャンセル」ボタンを選択する。
【０１１９】
図１５の確認画面において、「OK」ボタンが選択され、顧客の個人情報が確定すると、サーバ２は、利用者登録された顧客に対して個人IDとパスワードを生成し、さらに、生成された顧客の個人IDおよびパスワードと、顧客が所属するグループのグループIDが表示された図１６のID通知画面をディスプレイ１１に表示させる。
【０１２０】
ID通知画面では、図１６に示されるように、「この度は会員登録していただきありがとうございます。」のメッセージとともに、顧客に付与された個人ID「○○○○」とパスワード「＊＊＊＊」、および顧客が登録したグループのグループID「△△△△」が表示される。
【０１２１】
なお、顧客が利用者登録時に、既存グループへの参加、および新規のグループの作成を希望しなかった場合には、グループIDの表示は省略される。
【０１２２】
図１７は、サーバ２の格納画像表示処理時に表示される、写真シールサイトの会員ログイン画面を示している。
【０１２３】
会員ログイン画面では、図１７に示されるように、アクセス先が写真シールサイトであることを表す「写真シールサイト○○○○」のメッセージと、個人IDとパスワードの入力を促す「会員用ページを利用する（以下の項目を記入してください）」のメッセージが表示され、その下に、個人IDとパスワードを入力する入力ボックスが配置される。
【０１２４】
顧客は、図１７の会員ログイン画面から、個人IDとパスワードを入力して、「OK」ボタンを操作し、画像提供サービスの利用を開始する。
【０１２５】
ログイン後、サーバ２は、最初に、図１８に示される作業内容選択画面をディスプレイ１１に表示させる。
【０１２６】
図１８の作業内容選択画面では、作業内容の選択を促す「作業内容を選んでください。」のメッセージとともに、「画像を組み合わせて表示する」、「画像のアクセス権・テーマを設定する」、「友達をサイト登録に誘う」、および「画像のアクセス権または画像を削除する」の４つの作業内容項目が表示される。
【０１２７】
「画像を組み合わせて表示する」の作業内容項目を選択した場合、顧客は、自分にアクセス権のある複数の撮影画像を、所定のテーマに従って組み合わせた組み合わせ画像をディスプレイ１１に表示させることができる。
【０１２８】
「画像のアクセス権・テーマを設定する」の作業内容項目を選択した場合、顧客は、自分が写真シール作成装置３で作成した撮影画像に対するアクセス権を他の顧客またはグループに設定したり、自分にアクセス権が与えられている撮影画像のテーマを設定することができる。
【０１２９】
「友達をサイト登録に誘う」の作業内容項目を選択した場合、顧客は、画像提供サービスの利用者として自分の友達を勧誘する勧誘メールをサーバ２に送信させることができる。
【０１３０】
「画像のアクセス権または画像を削除する」の作業内容項目を選択した場合、顧客は、撮影画像のアクセス権を削除したり、写真シール作成装置３で自分が作成した撮影画像をサーバ２の画像記憶部１１０から削除することができる。
【０１３１】
図１８の作業内容選択画面において「画像を組み合わせて表示する」の作業内容項目が選択された場合、サーバ２は、最初に、図１９のテーマ選択画面をディスプレイ１１に表示させ、テーマ（撮影テーマおよび個別テーマ）を顧客に選択させる。
【０１３２】
テーマ選択画面では、図１９に示されるように、テーマの選択を促す「画像を組み合わせたいテーマを選んでください。」のメッセージとともに、顧客個人にアクセス権が与えられている撮影画像が有しているテーマのリストと、顧客が所属するグループにアクセス権が与えられている撮影画像が有しているテーマのリストが表示される。
【０１３３】
図１９のテーマ選択画面では、「個人の利用範囲で組み合わせ」のメッセージの下方に『電車』、『フォークダンス』、『笑顔』、および『WAVE』が表示されており、顧客個人にアクセス権が与えられている撮影画像が有しているテーマとして、『電車』、『フォークダンス』、『笑顔』、および『WAVE』があることを表している。換言すれば、『電車』、『フォークダンス』、『笑顔』、または『WAVE』のテーマが設定されていて、顧客自身にアクセス権のある撮影画像が、サーバ２の画像記憶部１１０に記憶されていることを表している。
【０１３４】
また、図１９のテーマ選択画面では、「グループの利用範囲で組み合わせ」のメッセージの下方に『電車』、『長椅子』、および『寄書』が表示されており、顧客が所属するグループにアクセス権が与えられている撮影画像が有しているテーマとして、『電車』、『長椅子』、および『寄書』のテーマがあることを表している。換言すれば、『電車』、『長椅子』、および『寄書』のテーマが設定されていて、顧客が所属するグループにアクセス権のある撮影画像が、サーバ２の画像記憶部１１０に記憶されていることを表している。
【０１３５】
例えば、顧客が図５に示したような組み合わせ画像２３を表示させたい場合、図１９のテーマ選択画面において『寄書』のテーマが選択される。
【０１３６】
一方、図１８の作業内容選択画面において、顧客が撮影画像のアクセス権の設定を希望して「画像のアクセス権・テーマを設定する」の作業内容項目を選択した場合、サーバ２は、図２０のテーマ選択画面をディスプレイ１１に表示させる。
【０１３７】
テーマ選択画面では、図２０に示されるように、アクセス権を設定する撮影テーマの選択を促す「テーマを下記一覧から選択してください。」のメッセージとともに、顧客個人にアクセス権が与えられている撮影画像が有している撮影テーマのリスト、および、顧客が所属するグループにアクセス権が与えられている撮影画像が有している撮影テーマのリストが表示される。
【０１３８】
図２０では、「<1>個人テーマ」のタイトル下方に『笑顔』、『長椅子』、および『電車』が表示されており、顧客個人にアクセス権が与えられている撮影画像が有している撮影テーマとして、『笑顔』、『長椅子』、および『電車』があることを表している。また、図２０では、「<２>グループ」と顧客が所属するグループのグループID「＊＊＊」および「テーマ」のタイトル下方に、『長椅子』および『寄書』が表示されており、顧客が所属するグループにアクセス権が与えられている撮影画像が有している撮影テーマとして、『長椅子』および『寄書』があることを表している。なお、本明細書において“<”および“>”で囲んで表している数字は、図中の丸で囲まれた数字に対応する。
【０１３９】
図２０のテーマ選択画面で所定の撮影テーマが選択されると、図２１の画像選択画面がディスプレイ１１に表示され、画像記憶部１１０に記憶されている撮影画像のうちの、選択された撮影テーマを有する撮影画像を顧客が順次確認できるようになる。
【０１４０】
画像選択画面では、図２１に示されるように、撮影画像の選択を促す「画像を下記一覧から選択してください。」のメッセージとともに、選択された撮影テーマが設定されている撮影画像の一つが表示される。顧客は、携帯型電話機５の所定のボタンを操作して、選択された撮影テーマが設定されているその他の撮影画像も順次確認し、表示された撮影画像の中からアクセス権を設定する１つの撮影画像を選択（指定）する。
【０１４１】
アクセス権を設定する１つの撮影画像が選択されると、サーバ２は、その選択された撮影画像のアクセス権をだれに（どのグループに）設定するかを指定する、図２２のアクセス権設定画面をディスプレイ１１に表示させる。
【０１４２】
アクセス権設定画面では、図２２に示されるように、アクセス権の設定を促す「アクセス設定先を下記一覧から選択してください。」のメッセージとともに、顧客が所属するグループに属する他の顧客（メンバ）の個人IDと、グループリスト記憶部１１１に登録されているグループIDのリストが表示される。
【０１４３】
顧客は、図２２のアクセス権設定画面に表示されている個人IDまたはグループIDを選択することにより、画像選択画面（図２１）で選択した撮影画像のアクセス権を設定する顧客（個人）またはグループを選択（指定）する。
【０１４４】
一方、図１８の作業内容選択画面において、顧客が自分にアクセス権が与えられている撮影画像に対するテーマの設定を希望して「画像のアクセス権・テーマを設定する」の作業内容項目を選択した場合には、顧客は、図２０および図２１と同様の画面により、テーマを設定する撮影画像を選択した後、図２３のテーマ設定画面により、テーマを設定する。
【０１４５】
テーマ設定画面では、図２３に示されるように、テーマの設定を促す「設定するテーマを下記一覧から選択してください。」のメッセージととともに、設定可能なテーマの一覧（図２３では、笑顔、長椅子、電車）が表示される。そして、顧客によって選択されたテーマが、選択された撮影画像のテーマとして設定（変更）される。
【０１４６】
なお、図２０および図２１の画面によって選択された撮影画像が、自分が作成（撮影）した撮影画像である場合には、サーバ２は、その選択された撮影画像の撮影テーマを変更し、選択された撮影画像が、他の顧客によって作成され、アクセス権が与えられた撮影画像である場合には、サーバ２は、その選択された撮影画像の個別テーマを設定する。即ち、「画像のアクセス権・テーマを設定する」の作業内容項目では、顧客は、自分で作成した撮影画像の撮影テーマと、他の顧客が作成した撮影画像の個別テーマの両方を設定（変更）することができる。
【０１４７】
一方、図１８の作業内容選択画面において「友達をサイト登録に誘う」の作業内容項目が選択された場合、サーバ２は、図２４のメールアドレス入力画面をディスプレイ１１に表示させ、友達のメールアドレスを顧客に入力させる。
【０１４８】
メールアドレス入力画面では、図２４に示されるように、メールアドレスの入力を促す「あなたが誘いたい友達のメールアドレスを入力してください」のメッセージとともに、メールアドレスを入力する入力ボックスが表示される。
【０１４９】
メールアドレス入力画面でのメールアドレスの入力が完了すると、即ち、図２４のメールアドレス入力画面で「OK」ボタンが操作されると、入力されたメールアドレスが、サーバ２に転送される。サーバ２は、図２４のメールアドレス入力画面で入力された顧客甲の友達のメールアドレスに、「友達登録のお願い」と題した勧誘メールを送信する。
【０１５０】
図２５は、友達が受信した勧誘メールをディスプレイ１１に表示させたときの画面例を示している。
【０１５１】
図２５では、勧誘メールの差出人は「写真メールサイト○○○○」で、送信時刻が「１２月９日  １５：３５」（１２月９日の１５時３５分）であり、題名が「友達登録のお誘い」となっている。勧誘メールの本文としては、写真シールサイト○○○○への登録を勧誘する「こんにちは。  あなたのお友達が、この写真シールサイト○○○○にあなたの登録を希望しています。登録OKなら、下のURLにアクセスしてください。」のメッセージと、友達のメールアドレスを紹介した顧客甲のアドレス「ABCDE＠・・・」と、写真シールサイト○○○○のアクセス先アドレス「URL  http:// ・・・」が記載されている。なお、友達のメールアドレスを紹介した顧客甲のアドレス「ABCDE＠・・・」の代わりに、顧客甲の名前などを表示してもよく、つまり、顧客甲からの紹介であることがわかれば良い。
【０１５２】
写真シールサイト○○○○を紹介された友達は、写真シールサイト○○○○の会員となることを希望する場合、写真シールサイト○○○○（メールで提示されたアクセス先アドレス）にアクセスし、図１２乃至図１６を参照して説明した手順で会員登録を行う。
【０１５３】
一方、図１８の作業内容選択画面において「画像のアクセス権または画像を削除する」の作業内容項目が選択された場合、サーバ２は、アクセス権の削除または撮影画像の処分の対象となる撮影画像を、図２１と同様の画像選択画面で選択させる。
【０１５４】
図２１の画像選択画面で表示される撮影画像には、自分が写真シール作成装置３で作成（撮影）した撮影画像と、他の顧客（友達）が写真シール作成装置３で作成し、自分に対してアクセス権が与えられた撮影画像とがある。
【０１５５】
サーバ２は、最初に、図２１の画像選択画面で選択された撮影画像が、顧客本人によって作成されたものかを判定する。選択された撮影画像が顧客本人によって作成されたものではない場合、即ち、友達（他の顧客）が写真シール作成装置３で作成したものである場合、その選択された撮影画像をサーバ２の画像記憶部１１０から削除する権利を、顧客本人は有していないので、サーバ２は、選択された撮影画像の処分内容を、その撮影画像に設定された顧客本人のアクセス権の削除と認識し、図２６の警告画面を表示させる。
【０１５６】
警告画面では、図２６に示されるように、自分では設定できないアクセス権を削除することの警告を表す「この画像のあなたのアクセス権を削除します  ※友達から設定を再度受けない限り、今後画像を見ることができなくなります」のメッセージが表示される。
【０１５７】
一方、図２１の画像選択画面で選択された撮影画像が顧客本人によって作成されたものである場合、サーバ２は、図２７の処分方法選択画面をディスプレイ１１に表示させ、選択された撮影画像に設定されている友達（他の顧客）のアクセス権を削除するか、選択された撮影画像に設定されているグループのアクセス権を削除するか、または選択された撮影画像を削除するかを選択させる。
【０１５８】
処分方法選択画面では、図２７に示されるように、選択された撮影画像の処分方法の選択を促す「この画像の処分方法を下記一覧から選択してください。」のメッセージとともに、上述した３つの処分方法（<1>友達のアクセス権を削除、<２>グループのアクセス権を削除、<３>画像の削除）が表示される。
【０１５９】
図２７の処分方法選択画面において「<1>友達のアクセス権を削除」が選択された場合、サーバ２は、選択された撮影画像にアクセス権が設定されている他の顧客の個人IDのリストを表示する図２８の個人ID選択画面を表示させる。
【０１６０】
個人ID選択画面では、図２８に示されるように、アクセス権を削除する顧客の個人IDの選択を促す「アクセス権を削除したい友達を選択してください」のメッセージとともに、選択された撮影画像にアクセス権が設定されている他の顧客の個人IDの一覧（<1>個人ID：○○○  <２>個人ID：＊＊＊  <３>個人ID：×××）が表示される。
【０１６１】
一方、図２７の処分方法選択画面において「<２>グループのアクセス権を削除」が選択された場合、サーバ２は、選択された撮影画像にアクセス権が設定されているグループのグループIDのリストを表示する図２９のグループID選択画面を表示させる。
【０１６２】
グループID選択画面では、図２９に示されるように、アクセス権を削除するグループのグループIDの選択を促す「アクセス権を削除したいグループを選択してください」のメッセージとともに、選択された撮影画像にアクセス権が設定されているグループのグループIDのリスト（<1>グループID：○○○  <２>グループID：＊＊＊）が表示される。
【０１６３】
また、図２７の処分方法選択画面において「<３>画像の削除」が選択された場合、サーバ２は、選択された撮影画像の削除を確認する図３０の削除確認画面を表示させる。
【０１６４】
削除確認画面では、図３０に示されるように、撮影画像の削除を確認する「この画像を削除します  ※この画像にアクセス権を設定している友達（グループのメンバ）は、この画像を見ることができなくなります」のメッセージが表示される。
【０１６５】
図３１のフローチャートを参照して、図２のステップＳ１で実行される顧客の利用者登録処理の詳細について説明する。
【０１６６】
初めに、ステップＳ２１において、サーバ２の登録部１０４は、個人情報入力画面（図１２）を携帯型電話機５のディスプレイ１１に表示させ、そこに入力された顧客の個人情報（氏名、住所、電話番号、およびメールアドレス）を通信部１０１を介して取得する。
【０１６７】
ステップＳ２２において、登録部１０４は、図１３に示したグループ登録画面をディスプレイ１１に表示させる。また、ステップＳ２２において、登録部１０４は、新たなグループ作成が顧客により指示されたか否か、即ち、グループ登録画面において「新たなグループを作成する」が選択されたか否かを判定する。
【０１６８】
ステップＳ２２で、新たなグループ作成が指示されたと判定された場合、即ち、グループ登録画面において「新たなグループを作成する」が選択された場合、処理はステップＳ２３に進み、登録部１０４は、グループ登録の種別を表す変数Ｇに１を代入する。
【０１６９】
一方、ステップＳ２２で、新たなグループ作成が指示されていないと判定された場合、処理はステップＳ２４に進み、登録部１０４は、既存のグループへの登録が顧客により指示されたかを判定する。ステップＳ２４で、既存のグループへの登録が顧客により指示されていないと判定された場合、即ち、図１３のグループ登録画面において「グループ登録しない」が選択された場合、登録部１０４は、ステップＳ２５において、変数Ｇに０を代入する。
【０１７０】
一方、ステップＳ２４で、既存のグループへの登録が顧客により指示されたと判定された場合、即ち、図１３のグループ登録画面において「既存のグループにメンバ登録する」が選択された場合、登録部１０４は、ステップＳ２６において、グループ登録画面の入力ボックスに入力されたグループIDを取得する。
【０１７１】
ステップＳ２７において、登録部１０４は、グループ登録画面で入力されたグループIDのグループがグループリスト記憶部１１１に存在するか否かを判定する。ステップＳ２７で、グループ登録画面で入力されたグループIDのグループが存在しないと判定された場合、処理はステップＳ２８に進み、登録部１０４は、「登録グループが見つかりません。」のメッセージが記入された図１４のエラー画面をディスプレイ１１に表示させる。そして、登録部１０４は、処理をステップＳ２２に戻す。これにより、グループ登録画面がディスプレイ１１に再び表示される。
【０１７２】
一方、ステップＳ２７で、グループ登録画面で入力されたグループIDのグループが存在すると判定された場合、ステップＳ２９において、登録部１０４は、入力されたグループIDで指定されたグループを指定グループとして記憶し、変数Ｇに２を代入する。
【０１７３】
ステップＳ２３、Ｓ２５、またはＳ２９の処理後、ステップＳ３０において、登録部１０４は、図１５に示した確認画面をディスプレイ１１に表示させ、登録される内容（登録内容）に間違いがないか顧客に確認する。
【０１７４】
ステップＳ３０で、登録内容に間違いがあると判定された場合、即ち、図１５の確認画面で「やり直し」が顧客により選択された場合、登録部１０４は、処理をステップＳ２１に戻す。その後、ステップＳ２１乃至Ｓ３０の処理が繰り返される。
【０１７５】
一方、ステップＳ３０で、登録内容に間違いがないと判定された場合、即ち、図１５の確認画面で「ＯＫ」が顧客により選択された場合、処理はステップＳ３１に進み、登録部１０４は、顧客の個人情報をID記憶部１１３に登録する（記憶させる）。
【０１７６】
ステップＳ３２において、登録部１０４は、図３２を参照して後述する領域作成処理を実行して、処理を終了する。
【０１７７】
図３２は、図３１のステップＳ３２で実行される領域作成処理のフローチャートである。
【０１７８】
領域作成処理では、最初に、ステップＳ５１において、サーバ２の登録部１０４が、ステップＳ３０でID記憶部１１３に登録した顧客の個人IDおよびパスワードの生成を管理部１０２に依頼し、管理部１０２は、その依頼に基づいて、顧客の個人IDおよびパスワードを生成する。
【０１７９】
ステップＳ５２において、登録部１０４は、生成された個人IDとパスワードをID記憶部１１３に登録する。ID記憶部１１３は、登録部１０４から供給された個人IDとパスワードを記憶する。
【０１８０】
ステップＳ５３において、登録部１０４は、顧客が写真シール作成装置３で作成（撮影）した撮影画像を保存する領域（顧客の個人領域）を画像記憶部１１０に作成する。
【０１８１】
ステップＳ５４において、登録部１０４は、変数Gの値が０，１、または２のいずれであるか判定する。
【０１８２】
ステップＳ５４で、変数Gの値が１であると判定された場合、即ち、グループ登録画面において顧客が「新たなグループを作成する」を選択した場合、処理はステップＳ５５に進み、登録部１０４は、新規に作成するグループのグループIDの生成を管理部１０２に依頼し、管理部１０２は、その依頼に基づいてグループIDを生成する。
【０１８３】
ステップS５６において、登録部１０４は、生成されたグループIDをグループリスト記憶部１１１に登録することにより、グループリストを新規作成する。
【０１８４】
ステップＳ５７において、登録部１０４は、新規作成されたグループ（ステップＳ５５で生成されたグループIDのグループ）に顧客の個人ID（ステップＳ５１で生成された個人ID）を登録する。
【０１８５】
一方、ステップＳ５４で、変数Gの値が２であると判定された場合、即ち、グループ登録画面において顧客が「既存のグループにメンバ登録する」を選択した場合、処理はステップＳ５８に進み、登録部１０４は、上述したステップＳ２６で取得されたグループIDに対応する指定グループに顧客の個人ID（ステップＳ５１で生成され個人ID）を登録する。
【０１８６】
ステップＳ５４で変数Gの値が０であると判定された場合、即ち、グループ登録画面において顧客が「グループ登録しない」を選択した場合、または、ステップＳ５７またはＳ５８の処理後、処理はステップＳ５９に進み、登録部１０４は、図１６のID通知画面をディスプレイ１１に表示させ、顧客の個人IDおよびパスワードを顧客に通知して、図３１に戻り、処理を終了する。なお、変数Gの値が０である場合には、図１６のID通知画面において、グループIDの表示が省略される。
【０１８７】
また、利用者登録された顧客の個人ID、パスワード、およびグループIDを写真シールサイトの画面として表示させる他に、ステップＳ２１で受信したメールアドレスにメールとして顧客の個人ID、パスワード、およびグループIDを送信することにより通知しても良い。
【０１８８】
次に、図３３のフローチャートを参照して、勧誘メールで勧誘された友達が利用登録する場合の利用者登録処理について説明する。なお、図３３では、勧誘する側の顧客を甲とし、勧誘される側の顧客（以下、友達と称する）を乙として説明する。
【０１８９】
初めに、ステップＳ７１において、サーバ２の認証部１０３は、会員ログイン画面（図１７）を携帯型電話機５Ａのディスプレイ１１に表示させ、顧客甲の個人IDおよびパスワードを入力させる。
【０１９０】
会員ログイン画面に対して入力された顧客甲の個人IDおよびパスワードがネットワーク４を介して携帯型電話機５Ａからサーバ２の通信部１０１に送信され、認証部１０３に供給される。そして、ステップＳ７２において、認証部１０３は、ID記憶部１１３に記憶されている（顧客甲の）個人IDおよびパスワードに基づいて、顧客甲を認証する。
【０１９１】
顧客甲の認証後、ステップＳ７３において、認証部１０３は、作業内容選択画面（図１８）を携帯型電話機５Ａのディスプレイ１１に表示させ、顧客甲に作業内容を選択させる。顧客甲は、「画像を組み合わせて表示する」、「画像のアクセス権・テーマを設定する」、「友達をサイト登録に誘う」、および「画像のアクセス権または画像を削除する」の４つの作業内容項目の中から、「友達をサイト登録に誘う」を選択し、その選択情報が携帯型電話機５Ａからネットワーク４を介してサーバ２に送信される。
【０１９２】
ステップＳ７４において、登録部１０４は、メールアドレス入力画面（図２４）を携帯型電話機５Ａのディスプレイ１１に表示させ、友達（顧客乙）のメールアドレスを入力させる。ここで入力された顧客乙のメールアドレスは、顧客甲の友達メールアドレスとして、ID記憶部１１３の顧客甲の登録情報に追加される。
【０１９３】
ステップＳ７５において、登録部１０４は、メールアドレス入力画面で入力された顧客乙のメールアドレスを通信部１０１を介して取得する。また、ステップＳ７５において、登録部１０４は、図２５に示したように、紹介者である顧客甲を認識するための顧客甲のメールアドレスと、写真シールサイトのアクセス先アドレス(URL)を少なくとも含む、写真シールサイト（画像提供サービス）の利用者登録を勧誘する勧誘メールを作成し、通信部１０１を介して、顧客乙のメールアドレスに送信する。
【０１９４】
顧客乙は、勧誘メールを携帯型電話機５Bにより受信し、メールに記載されている写真シールサイトのアクセス先アドレスをクリック（選択）するなどして、写真シールサイトにアクセスする。
【０１９５】
ステップＳ７６において、登録部１０４は、個人情報入力画面（図１２）を携帯型電話機５Bのディスプレイ１１に表示させ、そこに入力された顧客乙の個人情報（氏名、住所、電話番号、およびメールアドレス）を通信部１０１を介して取得する。
【０１９６】
ステップＳ７７において、登録部１０４は、ID記憶部１１３の顧客甲の登録情報に、顧客乙のメールアドレスが顧客甲の友達メールアドレスとして記憶されていることで、顧客乙は、顧客甲から紹介された顧客であることを認識する。また、ステップＳ７７において、登録部１０４は、顧客甲が所属しているグループ（図９では、グループ１）をグループリスト記憶部１１１から検出し、ステップＳ７８に進み、検出されたグループ（グループ１）を指定グループとして記憶し、変数Ｇに２を代入する。
【０１９７】
ステップＳ７９において、登録部１０４は、顧客乙の個人情報をID記憶部１１３に登録する。
【０１９８】
ステップＳ８０において、登録部１０４は、図３２を参照して説明した領域作成処理（図３１のステップＳ３２の領域作成処理と同様の処理）を実行する。即ち、ステップＳ８０の領域作成処理では、顧客乙の個人IDおよびパスワードが生成されてID記憶部１１３に記憶され、顧客乙の個人領域が画像記憶部１１０に作成される。また、領域作成処理では、指定グループとしての顧客甲が所属しているグループ１に顧客乙の個人IDを登録するとともに、顧客乙の個人ID、パスワード、グループIDが携帯型電話機５Ｂに送信され、顧客乙に通知される。
【０１９９】
図３３の利用者登録処理によれば、画像提供サービスの利用者を増やすことができ、さらにそのことによって写真シール作成装置３の利用を促すことになるので、写真シール作成装置３の収益性が向上する。また、ID記憶部１１３の顧客甲の登録情報に、顧客乙のメールアドレスが顧客甲の友達メールアドレスとして記憶されていることで、勧誘された顧客乙が写真シールサイトにアクセスしてきたときに、顧客乙が顧客甲によって紹介された顧客であることを容易に認識することができる。
【０２００】
次に、図３４のフローチャートを参照して、図２のステップＳ２で実行される、写真シール作成装置３の撮影処理について説明する。
【０２０１】
初めに、ステップＳ１０１において、写真シール作成装置３は、写真シール作成ゲームを開始するための硬貨が投入されるまで待機する。そして、ステップＳ１０１において、写真シール作成装置３は、顧客（利用者）により硬貨が投入された場合、投入された硬貨を受け付けて、写真シール作成ゲームを開始させる。
【０２０２】
ステップＳ１０２において、写真シール作成装置３は、顧客が画像提供サービスの会員であるか否かを判定する。具体的には、写真シール作成装置３は、写真シール作成装置３の撮影用液晶パネルに「あなたは写真シールサイトで会員登録していますか？」等のメッセージと「はい」および「いいえ」ボタンを表示させ、顧客に「はい」または「いいえ」を選択させる。
【０２０３】
ステップＳ１０２で、顧客が画像提供サービスの会員ではないと判定された場合、処理は、ステップＳ１０３をスキップしてステップＳ１０４に進む。
【０２０４】
一方、ステップＳ１０２で、顧客が画像提供サービスの会員であると判定された場合、処理はステップＳ１０３に進み、写真シール作成装置３は、会員登録時に顧客に付与されている個人IDとパスワードを入力させる。ここで、グループ（複数の顧客）により写真シール作成ゲームがプレイされている場合、写真シール作成装置３は、画像提供サービスの会員となっている顧客全員の個人IDとパスワードを入力させる。
【０２０５】
ステップＳ１０４において、写真シール作成装置３は、顧客に撮影テーマを決定させる。具体的には、写真シール作成装置３は、写真シール作成装置３の撮影用液晶パネルに「撮影のテーマをえらんでね？」等のメッセージと『笑顔』、『電車』、『寄書』、『長椅子』、『フォークダンス』、または『WAVE』などの各テーマを表示させ、そのいずれかを顧客に選択させる。
【０２０６】
ステップＳ１０５において、写真シール作成装置３は、「右（または左）を向いて手を前に出してください」等の音声を出力して、撮影テーマに対応するポーズ（姿勢）を顧客に指定する。これにより、顧客は、設定した撮影テーマに対応するポーズをより容易に、かつ、より正確にとることができる。
【０２０７】
ステップＳ１０６において、写真シール作成装置３は、CCDカメラによって現在撮影されている画像（ライブビュー画像）を撮影用液晶パネルに表示する。これにより、顧客は、撮影される画像（静止画像）がどのようになるかを知ることができる。
【０２０８】
ステップＳ１０７において、写真シール作成装置３は、顧客を撮影する。即ち、写真シール作成装置３は、顧客による撮影ボタンの操作を検出し、その検出されたタイミングでCCDカメラにより撮影されている画像を抽出した静止画像を記憶する。
【０２０９】
ステップＳ１０８において、写真シール作成装置３は、ステップＳ１０７の処理で記憶された画像（撮影のタイミングで抽出された静止画像）のプレビュー画像を撮影用液晶パネルに表示する。これにより、顧客は、撮影用液晶パネルに表示された画像を確認することができる。
【０２１０】
ステップＳ１０９において、写真シール作成装置３は、撮影された画像の枚数が１回の写真シール作成ゲームに決められた所定枚数より少なく、顧客によって追加撮影が指定されたかを判定する。ステップＳ１０９で、撮影された画像の枚数が１回の写真シール作成ゲームに決められた所定枚数より少なく、顧客によって追加撮影が指定されたと判定された場合、写真シール作成装置３は、処理をステップＳ１０４に戻す。これにより、顧客は、１回の写真シール作成ゲームに決められた所定枚数まで、設定された撮影テーマの画像を作成（撮影）することができる。
【０２１１】
一方、ステップＳ１０９で、撮影された画像の枚数が１回の写真シール作成ゲームに決められた所定枚数以上となったか、または、顧客によって撮影の終了が指定されたと判定された場合、写真シール作成装置３は、図２に戻り、ステップＳ３の編集処理を実行する。
【０２１２】
図３５は、図２のステップＳ６で実行される画像格納処理の詳細なフローチャートである。
【０２１３】
画像格納処理では、最初に、ステップＳ１２１において、サーバ２の通信部１０１は、写真シール作成装置３から送信されてくる個人ID、パスワード、撮影テーマ、および撮影画像を受信する。
【０２１４】
ステップＳ１２２において、認証部１０３は、受信された個人IDおよびパスワードと、ID記憶部１１３に記憶されている個人IDおよびパスワードを比較することにより、顧客を認証する。
【０２１５】
顧客が認証されると、ステップＳ１２３において、画像振分部１０５は、受信された撮影画像を識別する画像IDの生成を管理部１０２に依頼する。管理部１０２は、ステップＳ１２３において、受信された撮影画像の画像IDを生成する。
【０２１６】
ステップＳ１２４において、画像振分部１０５は、画像記憶部１１０の顧客の個人領域に、受信された撮影画像を記憶させる。
【０２１７】
ステップＳ１２５において、画像振分部１０５は、撮影画像の属性情報を属性情報記憶部１１２に記憶させる。即ち、画像振分部１０５は、撮影画像の画像IDと撮影テーマ（ステップＳ１２１で受信された撮影テーマ）を属性情報記憶部１１２に記憶させて、図２に戻り、ステップＳ７に進む。
【０２１８】
以上のように、画像格納処理によれば、写真シール作成装置３で作成され、送信されてきた撮影画像を画像記憶部１１０内の顧客の個人領域に記憶し、撮影画像のテーマ（撮影テーマ）を属性情報記憶部１１２に記憶する。
【０２１９】
図３６は、図２のステップＳ７で実行される格納画像表示処理の詳細なフローチャートである。
【０２２０】
初めに、ステップＳ１４１において、サーバ２の認証部１０３は、会員ログイン画面（図１７）を携帯型電話機５のディスプレイ１１に表示させ、顧客の個人IDおよびパスワードを入力させる。
【０２２１】
会員ログイン画面に対して入力された顧客の個人IDおよびパスワードがネットワーク４を介して携帯型電話機５からサーバ２の通信部１０１に送信され、認証部１０３に供給される。そして、ステップＳ１４２において、認証部１０３は、ID記憶部１１３に記憶されている個人IDおよびパスワードに基づいて、顧客を認証する。これにより、サーバ２に記憶されている撮影画像を安全に管理することができる。
【０２２２】
顧客の認証後、ステップＳ１４３において、認証部１０３は、作業内容選択画面（図１８）を携帯型電話機５のディスプレイ１１に表示させ、顧客に作業内容を選択させる。作業内容選択画面において選択可能な作業内容項目は、「画像を組み合わせて表示する」、「画像のアクセス権・テーマを設定する」、「友達をサイト登録に誘う」、および「画像のアクセス権または画像を削除する」の４つであるが、「友達をサイト登録に誘う」が選択された場合については図３３を参照して説明したので、ここでは、「画像を組み合わせて表示する」、「画像のアクセス権・テーマを設定する」、および「画像のアクセス権または画像を削除する」の３つの作業内容項目のいずれかが選択されるものとする。
【０２２３】
ステップＳ１４４において、認証部１０３は、選択された作業内容が、「画像を組み合わせて表示する」、「画像のアクセス権・テーマを設定する」、および「画像のアクセス権または画像を削除する」のいずれであるかを判定する。
【０２２４】
ステップＳ１４４で、選択された作業内容が「画像を組み合わせて表示する」であると判定された場合、処理はステップＳ１４５に進み、画像処理部１０７は、図３乃至図５を参照して説明したように、組み合わせ画像を携帯型電話機５のディスプレイ１１に表示させる組み合わせ画像表示処理を実行する。
【０２２５】
一方、ステップＳ１４４で、選択された作業内容が「画像のアクセス権・テーマを設定する」であると判定された場合、処理はステップＳ１４６に進み、アクセス権設定部１０６は、図２０乃至図２４を参照して説明したように、撮影画像のアクセス権またはテーマを設定するアクセス権・テーマ設定処理を実行する。
【０２２６】
あるいは、ステップＳ１４４で、選択された作業内容が「画像のアクセス権または画像を削除する」であると判定された場合、処理はステップＳ１４７に進み、アクセス権設定部１０６は、図２６乃至図３０を参照して説明したように、撮影画像のアクセス権の削除または撮影画像の削除を行うアクセス権削除処理を実行する。
【０２２７】
ステップＳ１４５の組み合わせ画像表示処理については図３７のフローチャートを参照して後述し、ステップＳ１４６のアクセス権・テーマ設定処理については図４３のフローチャートを参照して後述し、ステップＳ１４７のアクセス権削除処理については、図４４のフローチャートを参照して後述する。
【０２２８】
ステップＳ１４５，Ｓ１４６、またはＳ１４７の処理後は、図２に戻り、画像提供処理が終了される。
【０２２９】
図３７は、上述したステップＳ１４５で実行される、組み合わせ画像表示処理の詳細なフローチャートである。
【０２３０】
初めに、ステップＳ２０１において、サーバ２の画像処理部１０７は、図２０のテーマ選択画面によって、組み合わせ画像に使用する撮影画像の撮影テーマを携帯型電話機５のディスプレイ１１に一覧表示させ、顧客に選択させる。
【０２３１】
ステップＳ２０２において、画像処理部１０７は、一覧表示された撮影テーマの中から顧客により選択された撮影テーマ（以下、選択テーマと称する）に枚数条件があるか否かを判定する。この選択テーマの枚数条件は、組み合わせ画像を構成するのに必要な撮影画像の枚数として、テーマ情報記憶部１１４に記憶されている。例えば、図３や図４に示した『電車』や『笑顔』のテーマでは、組み合わせ画像を構成する撮影画像の枚数に特別条件はなく、画像記憶部１１０に記憶されている全ての撮像画像を使用することができる。また例えば、図５に示した『寄書』のテーマでは、組み合わせ画像を構成するためには、少なくとも８枚の撮影画像が必要である。
【０２３２】
ステップＳ２０２で、選択テーマには枚数条件があると判定された場合、ステップＳ２０３に進み、画像処理部１０７は、テーマ情報記憶部１１４を参照して得られる、選択テーマの組み合わせ画像を構成するために必要な撮影画像の枚数（以下、選択テーマの必要枚数と称する）と、顧客にアクセス権があって、かつ、選択テーマが設定されている撮影画像の枚数（以下、選択テーマの使用可能枚数と称する）とを比較する。
【０２３３】
そして、ステップＳ２０４において、画像処理部１０７は、選択テーマの必要枚数が選択テーマの使用可能枚数と一致しているか否かを判定する。ステップＳ２０４で、選択テーマの必要枚数が選択テーマの使用可能枚数と一致していると判定された場合、処理はステップＳ２１１に進む。
【０２３４】
一方、ステップＳ２０４で、選択テーマの必要枚数が選択テーマの使用可能枚数と一致していないと判定された場合、処理はステップＳ２０５に進み、画像処理部１０７は、図３８に示される調整方法選択画面を携帯型電話機５のディスプレイ１１に表示させて、撮影画像の枚数を調整する調整方法を顧客に選択させる。
【０２３５】
図３８の調整方法選択画面では、調整方法の選択を促す「今選択したテーマと保存されている画像数とが対応しません  テーマを完成させるには、画像の数を調整する必要があります  画像を調整する手段を選んでください」のメッセージとともに、調整方法の２つの選択肢「<1>保存されている画像から自動選択して、画像枚数を調整する
<２>保存されている画像から自分で選択して、画像枚数を調整する」が表示されている。
【０２３６】
画像処理部１０７は、ステップＳ２０５において、撮影画像の自動選択が選択されたか否かを判定する。ステップＳ２０５で、撮影画像の自動選択が選択されたと判定された場合、即ち、図３８の調整方法選択画面において、「<1>保存されている画像から自動選択して、画像枚数を調整する」が選択された場合、処理はステップＳ２０６に進む。
【０２３７】
ステップＳ２０６において、画像処理部１０７は、選択テーマの使用可能枚数が選択テーマの必要枚数より多いかを判定する。ステップＳ２０６で、選択テーマの使用可能枚数が選択テーマの必要枚数より多いと判定された場合、処理はステップＳ２０７に進み、画像処理部１０７は、所定の順番（例えば、登録された順や、日付けの新しい順など）で必要枚数の撮影画像を選択する。これにより、選択テーマの使用可能枚数が選択テーマの必要枚数より多い場合であっても、組み合わせ画像を生成して、顧客に提供（提示）することができる。
【０２３８】
一方、ステップＳ２０６で、選択テーマの使用可能枚数が選択テーマの必要枚数より少ないと判定された場合、処理はステップＳ２０８に進み、画像処理部１０７は、選択テーマが設定されている全ての撮影画像を選択する。
【０２３９】
そして、ステップＳ２０９において、画像処理部１０７は、選択テーマ以外の撮影画像であって、顧客にアクセス権のある撮影画像について、顧客（被写体）の顔の向き、顔の大きさ（顔を主に撮影されているか、上半身を主に撮影されているか）などの画像の特徴を顔認識処理などを用いて検出し、選択テーマに最適な撮影画像を足りない枚数分だけ検出する。
【０２４０】
例えば、図３に示したテーマ『笑顔』の組み合わせ画像に使用する撮影画像は、顧客の胴体部が映っていなくて、頭部を主として撮影したものである必要があり、テーマ情報記憶部１１４には、テーマ『笑顔』の組み合わせ画像に使用する撮影画像の特徴として、「主として頭部を撮影したものであること」が記憶されている。画像処理部１０７は、選択テーマ以外の、顧客にアクセス権のある撮影画像の中から、テーマ『笑顔』の撮影画像の特徴に合致した（即ち、主として頭部を撮影した）撮影画像を足りない枚数分だけ検出する。
【０２４１】
また、図４に示したテーマ『電車』の組み合わせ画像に使用する撮影画像の特徴としては、「顧客の上半身を主として撮影したもので、（手を前に出している）顧客が横方向を向いている」が、テーマ情報記憶部１１４に記憶されており、画像処理部１０７は、その特徴に合致した撮影画像を、選択テーマ以外の、顧客にアクセス権のある撮影画像の中から足りない枚数分だけ検出する。
【０２４２】
図５に示したテーマ『寄書』の組み合わせ画像に使用する撮影画像の特徴としては、顧客の上半身を主として撮影したもので、顧客の顔が右方向、左方向、上方向、および下方向を向いている」が、テーマ情報記憶部１１４に記憶されており、画像処理部１０７は、その特徴に合致した撮影画像を、選択テーマ以外の、顧客にアクセス権のある撮影画像の中から足りない枚数分だけ検出する。
【０２４３】
これにより、選択テーマの使用可能枚数が、選択テーマの必要枚数よりも少ない場合であっても、選択テーマに合った他のテーマの撮影画像を使用して組み合わせ画像を生成し、顧客に提供（提示）することができる。なお、画像の特徴を検出せずに、顧客にアクセス権のある撮影画像の中から、単純に（無作為に）足りない枚数分の撮影画像を検出しても良いし、撮影画像の使用可能枚数が必要枚数よりも少ない場合には、足りない枚数のままで組み合わせ画像を構成（終了）してもよい。
【０２４４】
一方、ステップＳ２０５で、撮影画像の自動選択が選択されなかったと判定された場合、即ち、図３８の調整方法選択画面において、「<２>保存されている画像から自分で選択して、画像枚数を調整する」が選択された場合、処理はステップＳ２１０に進み、画像処理部１０７は、顧客にアクセス権のある撮影画像を一覧表示させ、使用する撮影画像を選択させる。これにより、顧客が自由に撮影画像を選択して組み合わせ画像を生成することができる。
【０２４５】
図３９乃至図４１は、選択テーマが『寄書』であるとしたときの、顧客による撮影画像の選択について説明する画面例である。
【０２４６】
画像処理部１０７は、図３９に示されるように、使用可能な撮影画像で組み合わせ画像を仮に構成し、ディスプレイ１１に表示させるとともに、撮影画像を選択する選択枠（図３９では、太線で示されている）も表示させる。
【０２４７】
また、画像処理部１０７は、変更する撮影画像の場所の指定を促す「組込・変更したい場所を指定してください」のメッセージもディスプレイ１１に表示させる。
【０２４８】
顧客が、組み合わせ画像を構成する撮影画像の１つを選択枠で選択して指定すると、画像処理部１０７は、図２０および図２１とそれぞれ同様の、図４０のテーマ選択画面および図４１の画像選択画面をディスプレイ１１に表示させて、組み合わせ画像に使用する新たな撮影画像を選択させる。そして、選択された新たな撮影画像が、図３９において選択枠で選択された撮影画像に取って代わる。
【０２４９】
また、顧客が、組み合わせ画像の中央部に配置された宛名画像（「○○さんへ！」が表示されている領域）を選択枠で選択して指定すると、画像処理部１０７は、「友達の名前を入力してください」等のメッセージと入力ボックスをディスプレイ１１に表示させる。これにより、顧客は、『寄書』の組み合わせ画像を送る友達の名前を入力することができる。
【０２５０】
図３７に戻り、ステップＳ２０７、Ｓ２０９、またはＳ２１０の後、処理はステップＳ２１１に進み、画像処理部１０７は、選択された撮影画像を、テーマに従った配置パターンで配置させることにより組み合わせ画像を生成し、生成された組み合わせ画像をディスプレイ１１にプレビュー表示させる。
【０２５１】
例えば、図３に示したテーマ『笑顔』の組み合わせ画像や図４に示したテーマ『電車』の組み合わせ画像については、「撮影画像を横方向に連結して構成する」という撮影画像の配置パターンがテーマ情報記憶部１１４に記憶されており、画像処理部１０７は、その配置パターンに従って、選択された撮影画像を配置させて組み合わせ画像を生成する。
【０２５２】
また、図５に示したテーマ『寄書』の組み合わせ画像については、「撮影画像を３×３（３行３列）に配置させ、（撮影画像を見て）左を向いている撮影画像を右側縦１列に配置し、右を向いている撮影画像を左側縦１列に配置し、下を向いている撮影画像を中央上側に配置し、上を向いている撮影画像を中央下側に配置させる」や、「上や下を向いている撮影画像がない場合には、正面を向いている撮影画像を中央上側および下側に配置し、中央下側の撮影画像は１８０度回転させる」などの撮影画像の配置パターンが、テーマ情報記憶部１１４に記憶されており、画像処理部１０７は、その配置パターンに従って、選択された撮影画像を撮影画像の特徴に応じて配置させて組み合わせ画像を生成する。これにより、例えば、顧客がテーマを『寄書』に設定し上向きの顔で撮影した撮影画像や、『寄書』以外のテーマで撮影されたが、顧客の顔が上向きで撮影されている撮影画像が３×３配置中の中央下側に配置される。
【０２５３】
図４２は、テーマ『笑顔』における組み合わせ画像を、ステップＳ２１１の処理によりプレビュー表示させたときのプレビュー画面の例を示している。
【０２５４】
図４２のプレビュー画面では、生成された組み合わせ画像（の縮小画像）と、この組み合わせ画像で問題ないかを確認するメッセージ「これでよろしければDL（ダウンロード）してね」、および、いま表示されている組み合わせ画像で問題がないときに選択する「DLする」ボタンと、いま表示されている組み合わせ画像を変更する「やりなおし」ボタンが表示されている。プレビュー画面により、顧客は組み合わせ画像の出来上がりを事前に確認することができる。
【０２５５】
図３７のステップＳ２１２において、画像処理部１０７は、プレビューされた組み合わせ画像で問題がないかを判定する。ステップＳ２１２で、プレビューされた組み合わせ画像で問題があると判定された場合、即ち、プレビュー画面の「やりなおし」ボタンが選択された場合、処理はステップＳ２１０に進み、それ以降の処理が繰り返される。
【０２５６】
一方、ステップＳ２１２で、プレビューされた組み合わせ画像で問題がないと判定された場合、即ち、プレビュー画面の「DLする」ボタンが選択された場合、処理はステップＳ２１３に進み、組み合わせ画像（の画像データ）を携帯型電話機５に送信する（DLさせる）。これにより、図３に示したような組み合わせ画像２１がディスプレイ１１に表示される。また、ダウンロードした組み合わせ画像などを、メールなどに添付して友達（他の顧客）に送信することができる。その後、処理は図３６に戻る。
【０２５７】
以上のように、撮影画像の選択テーマに応じてサーバ２により自動で組み合わせ画像を生成したり、顧客による撮影画像の自由な選択によって組み合わせ画像を生成したりして、顧客に組み合わせ画像を提供（提示）することができるので、顧客の満足度をより大きく向上させることができる。さらにそのことによって写真シール作成装置３の利用をより促すことになるので、写真シール作成装置３において、より多くの収益性の向上も期待することができる。
【０２５８】
また、顧客が組み合わせ画像を携帯型電話機５のディスプレイ１１に表示させたい場合に、最初に撮影テーマを指定することによって組み合わせ画像を構成する撮影画像を絞り込み、その中から自動で、または、顧客の好みで（自由に）撮影画像を選択して組み合わせ画像を構成することができるので、顧客は容易に組み合わせ画像を構成してディスプレイ１１に表示させることができる。
【０２５９】
サーバ２では、上述したように、写真シール作成装置３で作成された撮影画像を画像記憶部１１０で顧客ごとに記憶し、撮影画像のテーマ（撮影テーマ）を属性情報記憶部１１２に記憶しているので、組み合わせ画像を構成する撮影画像を容易に管理することができる。また、テーマ情報記憶部１１４に組み合わせ画像を生成するための撮影画像の条件が記憶されているので、組み合わせ画像を容易に生成することができる。
【０２６０】
なお、上述したステップＳ２０２において、組み合わせ画像を構成する撮影画像の枚数に条件がないとした『電車』や『笑顔』のテーマについても、枚数の条件を設定することができる。この場合、携帯型電話機５に送信する（撮影画像の枚数に対応する）データ量を制限し、携帯型電話機５での処理負荷を低減させることができ、処理能力の低い携帯型電話機５であっても、組み合わせ画像を快適に表示させることができる。
【０２６１】
また、組み合わせ画像表示処理では、組み合わせ画像に使用する撮影画像の使用可能枚数が必要枚数より少ない場合には、他のテーマの撮影画像を使用したり、少ない撮影画像のままで組み合わせ画像を生成するようにして対処したが、組み合わせ画像に使用する撮影画像の不足対策として、写真シール作成装置３が、撮影テーマを顧客に決定させる場合に、撮影画像が不足している撮影テーマをサーバ２から取得し、顧客に薦めるなどしてもよい。
【０２６２】
次に、図４３のフローチャートを参照して、図３６のステップＳ１４６で実行される、アクセス権・テーマ設定処理の詳細について説明する。
【０２６３】
初めに、ステップＳ２３１において、サーバ２のアクセス権設定部１０６は、アクセス権の設定を行うか、または、撮影画像のテーマの設定を行うかを問い合わせる問い合わせ画面を携帯型電話機５のディスプレイ１１に表示させ、撮影画像のアクセス権の設定か、または、撮影画像のテーマの設定かを顧客に選択させる。
【０２６４】
ステップＳ２３１で、顧客によりアクセス権の設定が選択された場合、処理はステップＳ２３２に進み、アクセス権設定部１０６は、図２０のテーマ選択画面を携帯型電話機５のディスプレイ１１に表示させ、顧客がアクセス権を持っている撮影画像のテーマ一覧（撮影テーマの一覧）の中から、アクセス権を設定する撮影テーマを顧客に選択させる。
【０２６５】
ステップＳ２３３において、アクセス権設定部１０６は、図２１の画像選択画面により、選択された撮影テーマ（選択テーマ）が設定されている撮影画像を順次ディスプレイ１１に表示させ、顧客に選択させる。
【０２６６】
ステップＳ２３４において、アクセス権設定部１０６は、図２２のアクセス権設定画面をディスプレイ１１に表示させ、選択された撮影画像の、アクセス権の設定先となる個人IDまたはグループIDを顧客に選択させる。
【０２６７】
一方、ステップＳ２３１で、顧客によりテーマの設定が選択された場合、処理はステップＳ２３５に進み、アクセス権設定部１０６は、図２０のテーマ選択画面を携帯型電話機５のディスプレイ１１に表示させ、顧客がアクセス権を持っている撮影画像のテーマ一覧（撮影テーマの一覧）の中から、テーマを設定する撮影テーマを顧客に選択させる。
【０２６８】
ステップＳ２３６において、アクセス権設定部１０６は、図２１の画像選択画面により、選択された撮影テーマ（選択テーマ）が設定されている撮影画像を順次ディスプレイ１１に表示させ、顧客に選択させる。
【０２６９】
ステップ２３７において、アクセス権設定部１０６は、図２３のテーマ設定画面により、選択された撮影画像に設定するテーマを顧客に選択させる。ここで選択されたテーマは、上述のステップＳ２３６で選択された撮影画像が自分の撮影画像である場合には、選択された撮影画像の撮影テーマとして設定（変更）され、上述のステップＳ２３６で選択された撮影画像が他人からアクセス権が付与された撮影画像である場合には、選択された撮影画像の個別テーマとして設定（変更）される。
【０２７０】
ステップＳ２３４またはＳ２３７の処理後、ステップＳ２３８において、アクセス権設定部１０６は、属性情報記憶部１１２に記憶されている、選択された撮影画像の属性情報を更新する。これにより、選択された撮影画像のアクセス権またはテーマに関する情報が更新される。
【０２７１】
以上のように、アクセス権・テーマ設定処理によれば、自分（顧客本人）が作成した撮影画像へのアクセス権を他の顧客に設定することができるので、自分が作成した撮影画像を他の顧客にも見せることができる。これにより、友達どうしで撮影画像を見せ合って楽しむことができ、顧客の満足度が向上する。また、他の顧客が作成した撮影画像を組み合わせ画像に使用することができるようになり、組み合わせ画像を構成する撮影画像の組み合わせ（バリエーション）を増やすことができるので、組み合わせ画像の楽しみが増え、顧客の満足度が向上する。
【０２７２】
また、アクセス権・テーマ設定処理によれば、自分にアクセス権のある撮影画像のテーマを自由に設定することができるので、組み合わせ画像を構成する撮影画像の組み合わせ（バリエーション）を増やすことができるので、組み合わせ画像の楽しみが増え、顧客の満足度が向上する。
【０２７３】
次に、図４４のフローチャートを参照して、図３６のステップＳ１４７で実行される、アクセス権削除処理の詳細について説明する。
【０２７４】
初めに、ステップＳ２５１において、アクセス権設定部１０６は、図２０のテーマ選択画面によって、顧客が使用することができる撮影画像に設定されているテーマの一覧を携帯型電話機５のディスプレイ１１に表示させ、顧客に選択させる。
【０２７５】
ステップＳ２５２において、アクセス権設定部１０６は、図２１の画像選択画面により、ステップＳ２５１で選択されたテーマが設定されている撮影画像を順次ディスプレイ１１に表示させ、顧客に選択させる。
【０２７６】
ステップＳ２５３において、アクセス権設定部１０６は、画像記憶部１１０内の顧客本人の個人領域を参照することにより、ステップＳ２５２で選択された撮影画像が顧客本人が作成した画像であるか否かを判定する。
【０２７７】
ステップＳ２５３で、選択された撮影画像は、顧客本人が作成した画像ではないと判定された場合、即ち、選択された撮影画像が、他の顧客によって作成され、顧客本人にアクセス権が与えられた画像である場合、処理はステップＳ２５４に進み、アクセス権設定部１０６は、自分では設定できないアクセス権を削除することへの警告を表す警告画面（図２６）を携帯型電話機５のディスプレイ１１に表示させる。そして、警告が顧客により了解された後（図２６の警告画面で「ＯＫ」ボタンが選択された後）、アクセス権設定部１０６は、選択された撮影画像の属性情報を変更し、選択された撮影画像のアクセス権と個別テーマを削除する。従って、顧客本人は、他の顧客が作成した撮影画像に付加されている自分のアクセス権を削除することができる。ここで顧客本人のアクセス権を誰が設定したかは問わない。
【０２７８】
一方、ステップＳ２５３で、選択された撮影画像は、顧客本人が撮影した画像であると判定された場合、処理はステップＳ２５５に進み、アクセス権設定部１０６は、図２７の処分方法選択画面をディスプレイ１１に表示させ、「<1>友達のアクセス権を削除」、「<２>グループのアクセス権を削除」、または「<３>画像の削除」のうちのいずれか１つの処分方法を顧客に選択させる。
【０２７９】
ステップＳ２５５で、処分方法として「<1>友達のアクセス権を削除」が選択されたと判定された場合、処理はステップＳ２５６に進み、アクセス権設定部１０６は、図２８の個人ID選択画面をディスプレイ１１に表示させ、ステップＳ２５２で選択された撮影画像に登録されている他の顧客の個人IDの一覧から、削除したい個人IDを顧客に選択させる。
【０２８０】
ステップＳ２５７において、アクセス権設定部１０６は、ステップＳ２５６で選択された個人IDに対応する顧客のアクセス権と個別テーマを、ステップＳ２５２で選択された撮像画像の属性情報から削除する（ステップＳ２５２で選択された撮影画像の属性情報を更新する）。従って、顧客本人は、自分が作成した撮影画像に付加されている、他の顧客のアクセス権を削除することができる。
【０２８１】
一方、ステップＳ２５５で、処分方法として「<２>グループのアクセス権を削除」が選択されたと判定された場合、処理はステップＳ２５８に進み、アクセス権設定部１０６は、図２９のグループID選択画面をディスプレイ１１に表示させ、ステップＳ２５２で選択された撮影画像に登録されているグループのグループIDの一覧から、削除したいグループIDを顧客に選択させる。
【０２８２】
ステップＳ２５９において、アクセス権設定部１０６は、ステップＳ２５８で選択されたグループIDに対応するグループのアクセス権と個別テーマを、ステップＳ２５２で選択された撮像画像の属性情報から削除する（ステップＳ２５２で選択された撮影画像の属性情報を更新する）。従って、顧客本人は、自分が作成した撮影画像に付加されている、グループのアクセス権を削除することができる。
【０２８３】
また、ステップＳ２５５で、処分方法として「<３>画像の削除」が選択されたと判定された場合、処理はステップＳ２６０に進み、アクセス権設定部１０６は、ステップＳ２５２で選択された撮影画像の削除を確認する削除確認画面（図３０）をディスプレイ１１に表示させる。削除確認画面により撮影画像の削除が了解された後、ステップＳ２６０において、アクセス権設定部１０６は、画像記憶部１１０内の顧客本人の個人領域に記憶されている、ステップＳ２５２で選択された撮影画像を削除するとともに、削除した撮影画像の属性情報を属性情報記憶部１１２から削除する。従って、顧客本人は、自分が作成した撮影画像をサーバ２から削除することができる
【０２８４】
ステップＳ２５７，Ｓ２５９、またはＳ２６０の処理後は、処理が図３６に戻される。
【０２８５】
以上のように、サーバ２によれば、撮影画像の選択テーマに応じて自動で（サーバ２により）組み合わせ画像を生成したり、顧客の自由な撮影画像の選択に応じた組み合わせ画像を生成したりして、顧客に提供（提示）することができるので、顧客の満足度が向上する。さらにそのことによって写真シール作成装置３の利用をより促すことになるので、写真シール作成装置３の収益性が向上する。
【０２８６】
なお、携帯型電話機５が撮影機能付き（カメラ付き）の携帯型電話機５である場合には、携帯型電話機５で撮影された画像もサーバ２に送信（アップロード）することができるようにしてもよい。また、サーバ２の画像記憶部１１０に記憶されている、写真シール作成装置３または携帯型電話機５で撮影された撮影画像を携帯型電話機５に読み出し、そこで編集作業を行うことができるようにサーバ２の機能を付加してもよい。これにより、組み合わせ画像として使用することができる撮影画像の種類を増やすことができ、顧客の満足度が向上する。
【０２８７】
上述した例では、顧客本人にアクセス権が与えられている撮影画像であれば、自分が作成した撮影画像でなくてもアクセス権を自由に他の顧客に設定することができるようにしたが、顧客本人が作成した撮影画像だけに対してアクセス権を自由に設定することができるようにしてもよい。これにより、撮影画像を作成した本人がより厳密に撮影画像を管理することができる。
【０２８８】
また、上述した例では、撮影画像の属性情報に他の顧客の個人IDを追加することによって他の顧客にアクセス権を付与するようにしたが、画像記憶部１１０の他の顧客（アクセス権の付与先の顧客）の個人領域に自分（アクセス権の付与元の顧客）の撮影画像をコピーすることによって他の顧客にアクセス権を付与するようにしてもよい。
【０２８９】
さらに上述した例では、画像記憶部１１０において、写真シール作成装置３から送信されてきた撮影画像を、会員登録された顧客ごとに分類して記憶したが、撮影テーマごとに分類して記憶してもよい。
【０２９０】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【０２９１】
また、本明細書において、システムとは、複数の装置により構成される装置全体を表すものである。
【０２９２】
なお、本発明の実施の形態は、上述した実施の形態に限定されるものではなく、本発明の要旨を逸脱しない範囲において種々の変更が可能である。
【符号の説明】
【０２９３】
１  写真シール提供システム
２  サーバ
３  写真シール作成装置
４  ネットワーク
５  携帯型電話機
１０１  通信部
１０２  管理部
１０３  認証部
１０４  登録部
１０５  画像振分部
１０６  アクセス権設定部
１０７  画像処理部
１０８  入力部
１１０  画像記憶部
１１１  グループリスト記憶部
１１２  属性情報記憶部
１１３  ID記憶部
１１４  テーマ情報記憶部
１１５  プログラム記憶部
【図１】
2011166798.tif 000003
【図２】
2011166798.tif 000004
【図３】
2011166798.tif 000005
【図４】
2011166798.tif 000006
【図５】
2011166798.tif 000007
【図６】
2011166798.tif 000008
【図７】
2011166798.tif 000009
【図８】
2011166798.tif 000010
【図９】
2011166798.tif 000011
【図１０】
2011166798.tif 000012
【図１１】
2011166798.tif 000013
【図１２】
2011166798.tif 000014
【図１３】
2011166798.tif 000015
【図１４】
2011166798.tif 000016
【図１５】
2011166798.tif 000017
【図１６】
2011166798.tif 000018
【図１７】
2011166798.tif 000019
【図１８】
2011166798.tif 000020
【図１９】
2011166798.tif 000021
【図２０】
2011166798.tif 000022
【図２１】
2011166798.tif 000023
【図２２】
2011166798.tif 000024
【図２３】
2011166798.tif 000025
【図２４】
2011166798.tif 000026
【図２５】
2011166798.tif 000027
【図２６】
2011166798.tif 000028
【図２７】
2011166798.tif 000029
【図２８】
2011166798.tif 000030
【図２９】
2011166798.tif 000031
【図３０】
2011166798.tif 000032
【図３１】
2011166798.tif 000033
【図３２】
2011166798.tif 000034
【図３３】
2011166798.tif 000035
【図３４】
2011166798.tif 000036
【図３５】
2011166798.tif 000037
【図３６】
2011166798.tif 000038
【図３７】
2011166798.tif 000039
【図３８】
2011166798.tif 000040
【図３９】
2011166798.tif 000041
【図４０】
2011166798.tif 000042
【図４１】
2011166798.tif 000043
【図４２】
2011166798.tif 000044
【図４３】
2011166798.tif 000045
【図４４】
2011166798.tif 000046